(57)【要約】本発明は活性カップリング触媒を調製する際に有用な遷移金属プレ触媒を提供する。特定の態様では、本発明のプレ触媒は空気に安定でありかつ水分に安定である。本発明は、発明のプレ触媒を製造および使用する方法をさらに提供する。2020515398.tif 000039
2020515398.tif 000002
【特許請求の範囲】
【請求項１】
式(I)のプレ触媒またはその塩もしくは溶媒和物：
2020515398.tif 000030
(I)において、
Mは各出現時には独立して遷移金属であり；
Xは各出現時にはパーフルオロアルカンスルホネートであり；
Zは各出現時には独立してCH、CRまたはNであるが、但し0〜2個のZ基はNであるか；または5および6位のZ基は存在せず、4および7位のZ基は独立してRであり；かつ
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択される。
【請求項２】
Mが各出現時には独立してPd、Ni、およびPtからなる群より選択される、請求項1記載のプレ触媒。
【請求項３】
(I)における2つ出現するMが同一である、請求項1〜2のいずれか一項記載のプレ触媒。
【請求項４】
(I)における2つ出現するMがPdである、請求項1〜3のいずれか一項記載のプレ触媒。
【請求項５】
5員環を含む2つの配位子が同一である、請求項1〜4のいずれか一項記載のプレ触媒。
【請求項６】
Zが各出現時には独立してCHおよびCRからなる群より選択される、請求項1〜5のいずれか一項記載のプレ触媒。
【請求項７】
Xが各出現時には独立してトリフレート、ペンタフルオロエタンスルホネート、ヘプタフルオロプロパンスルホネート、およびノナフルオロブタンスルホネートからなる群より選択される、請求項1〜6のいずれか一項記載のプレ触媒。
【請求項８】
Xが各出現時にはトリフレートである、請求項1〜7のいずれか一項記載のプレ触媒。
【請求項９】
式(II)のプレ触媒またはその塩もしくは溶媒和物：
2020515398.tif 000031
(II)において、
Mは遷移金属であり；
Xはパーフルオロアルカンスルホネートであり；
Zは各出現時には独立してCH、CRまたはNであるが、但し0〜2個のZ基はNであるか；または5および6位のZ基は存在せず、4および7位のZ基は独立してRであり；
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択され；かつ
Lは単座または二座の配位子であるが、但しLは式PR*3の単座ホスフィン配位子ではなく、ここでR*は各出現時には独立してフェニル、シクロヘキシル、メチル、およびメトキシからなる群より選択される。
【請求項１０】
式(IIA)の化合物である請求項9記載のプレ触媒またはその塩もしくは溶媒和物：
2020515398.tif 000032
(IIA)において、
Lは
2020515398.tif 000033
として表される二座配位子であり、ここで各L*は独立して単座配位子基であり、かつ
XはMに配位していない。
【請求項１１】
MがPd、Ni、およびPtからなる群より選択される、請求項9〜10のいずれか一項記載のプレ触媒。
【請求項１２】
MがPdである、請求項9〜11のいずれか一項記載のプレ触媒。
【請求項１３】
Zが各出現時には独立してCHおよびCRからなる群より選択される、請求項9〜12のいずれか一項記載のプレ触媒。
【請求項１４】
Xがトリフレート、ペンタフルオロエタンスルホネート、ヘプタフルオロプロパンスルホネート、およびノナフルオロブタンスルホネートからなる群より選択される、請求項9〜13のいずれか一項記載のプレ触媒。
【請求項１５】
Xがトリフレートである、請求項9〜14のいずれか一項記載のプレ触媒。
【請求項１６】
Lが1,3-ビス(2,6-ジイソプロピルフェニル)-1,3-ジヒドロ-2H-イミダゾール-2-イリデンおよび1,3-ビス(2,6-ビス-(ジフェニルメチル)-4-メトキシフェニル)イミダゾール-2-イリデンからなる群より選択される、請求項9〜15のいずれか一項記載のプレ触媒。
【請求項１７】
Lが二座ホスフィン配位子である、請求項9〜15のいずれか一項記載のプレ触媒。
【請求項１８】
LがAmPhos(ジ-t-ブチルホスフィノ-4-ジメチルアミノベンゼン)、DavePhos(2-ジシクロヘキシルホスフィノ-2'-(N,N-ジメチルアミノ)ビフェニル)、tBuDavePhos(2-ジ-tert-ブチルホスフィノ-2'-(N,N-ジメチルアミノ)ビフェニル)、QPhos(1,2,3,4,5-ペンタフェニル-1'-(ジ-tert-ブチルホスフィノ)フェロセン)、RuPhos(2-ジシクロヘキシルホスフィノ-2',6'-ジイソプロポキシビフェニル)、SPhos(2-ジシクロヘキシルホスフィノ-2',6'-ジメトキシビフェニル)、XPhos(2-ジシクロヘキシルホスフィノ-2',4',6'-トリイソプロピルビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、BrettPhos(2-(ジシクロヘキシルホスフィノ)-3,6-ジメトキシ-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)、BippyPhos(5-(ジ-tert-ブチルホスフィノ)-1',3',5'-トリフェニル-1'H-[1,4']ビピラゾール)、DPPF(1,1'-ビス(ジフェニルホスフィノ)フェロセン)、XantPhos(4,5-ビス(ジフェニルホスフィノ)-9,9-ジメチルキサンテン)、NiXantPhos(4,6-ビス(ジフェニルホスファニル)-10H-フェノキサジン)、dppe(1,2-ビス(ジフェニルホスフィノ)エタン)、dppm(1,1-ビス(ジフェニルホスフィノ)メタン)、dppp(1,3-ビス(ジフェニルホスフィノ)プロパン)、dppb(1,4-ビス(ジフェニルホスフィノ)ブタン)、BINAP(2,2'-ビス(ジフェニルホスフィノ)-1,1'-ビナフチル)、DPEPhos(ビス[(2-ジフェニルホスフィノ)フェニル]エーテル)、1,2-ビス(ジクロロホスフィノ)エタン、およびdcpe(1,2-ビス(ジシクロヘキシルホスフィノ)-エタン)からなる群より選択される少なくとも1つである、請求項9〜15および17のいずれか一項記載のプレ触媒。
【請求項１９】
反応混合物を形成するために、塩基の存在下で、有機溶媒中で配位子
2020515398.tif 000034
と混合アルカリ/遷移金属またはアルカリ土類/遷移金属塩を接触させる工程であって、混合アルカリ/遷移金属またはアルカリ土類/遷移金属塩がパーフルオロアルカンスルホネート塩を含まない場合、反応混合物をパーフルオロアルカンスルホネート塩とさらに接触させる工程
を含む、請求項1〜8のいずれか一項記載のプレ触媒を調製する方法。
【請求項２０】
塩基が炭酸ナトリウムを含む、請求項19記載の方法。
【請求項２１】
有機溶媒がメタノールを含む、請求項19〜20のいずれか一項記載の方法。
【請求項２２】
プレ触媒が反応混合物から析出する、請求項19〜21のいずれか一項記載の方法。
【請求項２３】
混合塩が[E]MX'2を含み、ここで[E]はNa2、K2、CaまたはMgであり；X'はClまたはパーフルオロアルカンスルホネートである、請求項19〜22のいずれか一項記載の方法。
【請求項２４】
混合塩がNa2PdCl2を含む、請求項19〜23のいずれか一項記載の方法。
【請求項２５】
混合アルカリ/遷移金属塩または混合アルカリ土類/遷移金属塩が、溶液中でMX'2をアルカリまたはアルカリ土類塩と接触させることによって調製される、請求項19〜24のいずれか一項記載の方法。
【請求項２６】
請求項1〜8のいずれか一項記載の触媒を配位子Lと接触させる工程を含む、請求項9〜18のいずれか一項記載のプレ触媒を調製する方法。
【請求項２７】
LがN-ヘテロ環カルビン(NHC)、トリフェニルホスフィン、トリ(o-トリル)ホスフィン、トリシクロヘキシルホスフィン、トリ(t-ブチル)ホスフィン、トリメチルホスフィン、トリメトキシホスフィン、PAd3(Ad=アダマンチル)、トリナフチルホスフィン、トリ(ペンタフルオロフェニル)ホスフィン、ジフェニル-2-ピリジルホスフィン、トリ(2-フリル)ホスフィン、トリ(n-オクチル)ホスフィン、ジメチルフェニルホスフィン、AmPhos(ジ-t-ブチルホスフィノ-4-ジメチルアミノベンゼン)、DavePhos(2-ジシクロヘキシルホスフィノ-2'-(N,N-ジメチルアミノ)ビフェニル)、tBuDavePhos(2-ジ-tert-ブチルホスフィノ-2'-(N,N-ジメチルアミノ)ビフェニル)、QPhos(1,2,3,4,5-ペンタフェニル-1'-(ジ-tert-ブチルホスフィノ)フェロセン)、RuPhos(2-ジシクロヘキシルホスフィノ-2',6'-ジイソプロポキシビフェニル)、SPhos(2-ジシクロヘキシルホスフィノ-2',6'-ジメトキシビフェニル)、XPhos(2-ジシクロヘキシルホスフィノ-2',4',6'-トリイソプロピルビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、BrettPhos(2-(ジシクロヘキシルホスフィノ)3,6-ジメトキシ-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)、BippyPhos(5-(ジ-tert-ブチルホスフィノ)-1',3',5'-トリフェニル-1'H-[1,4']ビピラゾール)、DPPF(1,1'-ビス(ジフェニルホスフィノ)フェロセン)、XantPhos(4,5-ビス(ジフェニルホスフィノ)-9,9-ジメチルキサンテン)、NiXantPhos(4,6-ビス(ジフェニルホスファニル)-10H-フェノキサジン)、dppe(1,2-ビス(ジフェニルホスフィノ)エタン)、dppm(1,1-ビス(ジフェニルホスフィノ)メタン)、dppp(1,3-ビス(ジフェニルホスフィノ)プロパン)、dppb(1,4-ビス(ジフェニルホスフィノ)ブタン)、BINAP(2,2'-ビス(ジフェニルホスフィノ)-1,1'-ビナフチル)、DPEPhos(ビス[(2-ジフェニルホスフィノ)フェニル]エーテル)、1,2-ビス(ジクロロホスフィノ)エタン、およびdcpe(1,2-ビス(ジシクロヘキシルホスフィノ)-エタン)からなる群より選択される少なくとも1つである、請求項26記載の方法。
【請求項２８】
第1試薬と第2試薬とを以下からなる群より選択される少なくとも1つの存在下で接触させる工程を含む、第1試薬と第2試薬との反応を促進する方法：
（a）配位子、および式(I)のプレ触媒またはその塩もしくは溶媒和物：
2020515398.tif 000035
(I)において、
Mは各出現時には独立して遷移金属であり；
Xは各出現時には配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；かつ
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択される；ならびに
（b）式(II)のプレ触媒またはその塩もしくは溶媒和物：
2020515398.tif 000036
(II)において、
Mは遷移金属であり；
Xは配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択され；かつ
Lは単座または二座の配位子であるが、但しLは式PR*3の単座ホスフィン配位子ではなく、ここでR*は各出現時には独立してフェニル、シクロヘキシル、メチル、およびメトキシからなる群より選択される。
【請求項２９】
Xが各出現時には独立してパーフルオロアルカンスルホネート、ハライド、メシレート、テトラフルオロボレート、ヘキサフルオロホスフェート、ヘキサフルオロアンチモネート、テトラフェニルボレート、アセテート、トリフルオロアセテート、アセチルアセトネート、トリフルイミド、およびトシレートからなる群より選択される、請求項28記載の方法。
【請求項３０】
（a）におけるXが出現時には同一である、請求項28〜29のいずれか一項記載の方法。
【請求項３１】
Xが各出現時には独立してトリフレート、ペンタフルオロエタンスルホネート、ヘプタフルオロプロパンスルホネート、およびノナフルオロブタンスルホネートからなる群より選択される、請求項28〜30のいずれか一項記載の方法。
【請求項３２】
Xが各出現時にはトリフレートである、請求項28〜31のいずれか一項記載の方法。
【請求項３３】
第1試薬および第2試薬が以下からなる群より選択される、請求項28〜32のいずれか一項記載の方法：
（i）第1試薬が芳香族またはヘテロ芳香族ボロン酸またはエステルであり、第2試薬が芳香族またはヘテロ芳香族ハライド、トシレート、トリフレート、メシレート、スルファメート、またはカルバメートである；
（ii）第1試薬が芳香族またはヘテロ芳香族アミンであり、第2試薬が芳香族、ヘテロ芳香族、またはビニルハライド、トシレート、トリフレート、メシレート、スルファメート、またはカルバメートである；
（iii）第1試薬が芳香族またはヘテロ芳香族ハロゲン化亜鉛であり、第2試薬が芳香族、ヘテロ芳香族、またはビニルハライド、トシレート、トリフレート、メシレート、スルファメート、またはカルバメートである；
（iv）第1試薬が芳香族またはヘテロ芳香族ハロゲン化マグネシウムであり、第2試薬が芳香族、ヘテロ芳香族、またはビニルハライド、トシレート、トリフレート、メシレート、スルファメート、またはカルバメートである；
（v）第1試薬が芳香族またはヘテロ芳香族ハロゲン化スズであり、第2試薬が芳香族、ヘテロ芳香族、またはビニルハライド、トシレート、トリフレート、メシレート、スルファメート、またはカルバメートである；
（vi）第1試薬がケトン、アルデヒド、イミン、アミド、またはエステルであり、第2試薬が芳香族、ヘテロ芳香族、またはビニルハライド、トシレート、トリフレート、メシレート、スルファメート、またはカルバメートである；
（vii）第1試薬がアルコールまたはチオールであり、第2試薬が芳香族、ヘテロ芳香族、またはビニルハライド、トシレート、トリフレート、メシレート、スルファメート、またはカルバメートである;
（viii）第1試薬が芳香族またはヘテロ芳香族シラノール、シロキサンまたはシランであり、第2試薬が芳香族、ヘテロ芳香族、またはビニルハライド、トシレート、トリフレート、メシレート、スルファメート、またはカルバメートである。
【請求項３４】
第1級または第2級アルコールを以下からなる群より選択される少なくとも1つと接触させる工程を含む、第1級または第2級アルコールの嫌気的酸化を促進する方法：
（a）配位子、および式(I)のプレ触媒またはその塩もしくは溶媒和物：
2020515398.tif 000037
(I)において、
Mは各出現時には独立して遷移金属であり；
Xは各出現時には配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；かつ
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択される；ならびに
（b）式(II)のプレ触媒またはその塩もしくは溶媒和物：
2020515398.tif 000038
(II)において、
Mは遷移金属であり；
Xは配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択され；かつ
Lは単座または二座の配位子であるが、但しLは式PR*3の単座ホスフィン配位子ではなく、ここでR*が各出現時には独立してフェニル、シクロヘキシル、メチル、およびメトキシからなる群より選択される。
【請求項３５】
Xが各出現時には独立してパーフルオロアルカンスルホネート、ハライド、メシレート、テトラフルオロボレート、ヘキサフルオロホスフェート、ヘキサフルオロアンチモネート、テトラフェニルボレート、アセテート、トリフルオロアセテート、アセチルアセトネート、トリフルイミド、およびトシレートからなる群より選択される、請求項34記載の方法。
【請求項３６】
（a）におけるXが出現時には同一である、請求項34〜35のいずれか一項記載の方法。
【請求項３７】
Xが各出現時には独立してトリフレート、ペンタフルオロエタンスルホネート、ヘプタフルオロプロパンスルホネート、およびノナフルオロブタンスルホネートからなる群より選択される、請求項34〜36のいずれか一項記載の方法。
【請求項３８】
Xが各出現時にはトリフレートである、請求項34〜37のいずれか一項記載の方法。
【発明の詳細な説明】
【技術分野】
【０００１】
関連出願の相互参照
本願は、2017年3月28日に出願の米国仮特許出願第62/477,849に対する米国特許法第119条(e)項に基づく優先権を主張し、該出願はその全体において参照により本明細書に組み入れられる。
【背景技術】
【０００２】
発明の背景
遷移金属を触媒としたクロスカップリングは全合成、材料科学、生物有機化学などの化学の様々な分野に応用されてきた。クロスカップリングは実際に今日利用可能な最も強力かつ一般的な合成方法の1つである。特に、高血圧を治療するために用いられるロサルタン[(2-ブチル-4-クロロ-1-{[2'-(1H-テトラゾール-5-イル)ビフェニル-4-イル]メチル}-1H-イミダゾール-5-イル)メタノール]およびHIVを治療するために用いられるアタザナビル[N-[(1S)-1-{[(2S,3S)-3-ヒドロキシ-4-[(2S)-2-[(メトキシカルボニル)アミノ]-3,3-ジメチル-N'-{[4-(ピリジン-2-イル)フェニル]メチル}ブタンヒドラジド]-1-フェニルブタン-2-イル]カルバモイル}-2,2-ジメチルプロピル]カルバミン酸メチル]などの薬剤の薬学的有効成分はクロスカップリング反応を用いて合成される。
【０００３】
最も効果的なクロスカップリング触媒はPdを利用し、かつ、立体的にかさ高い、電子に富むホスフィンまたはN-ヘテロ環状カルベン(NHC)補助配位子を特徴とする。単一の配位子を通常は有するPd(0)である、触媒作用における活性種は、Pd(0)源への過剰な配位子の添加を介して生成されることが多い。しかしながら、ほとんどのクロスカップリング反応で利用される特殊な配位子はPd(0)源自体と同じくらい高価なことが多く、過剰な配位子の使用は経済的に採算性がない。
【０００４】
よって、活性触媒種へと効率的に変換することができる新規なプレ触媒の必要性が当技術分野において存在する。本発明はこの必要性に対処しかつこれを満たすものである。
【発明の概要】
【０００５】
本発明は式(I)のプレ触媒またはその塩もしくは溶媒和物を提供し、
2020515398.tif 000003
(I)において、
Mは各出現時には独立して遷移金属であり；
非限定的にはトリフレートすなわちトリフルオロメタンスルホネート(または非限定的にはペンタフルオロエタンスルホネート、ヘプタフルオロプロパンスルホネート、および/またはノナフルオロブタンスルホネートなどの他のパーフルオロアルカンスルホネート)、ハライド、メシレート、テトラフルオロボレート、ヘキサフルオロホスフェート、ヘキサフルオロアンチモネート、テトラフェニルボレート、アセテート、トリフルオロアセテート、アセチルアセトネート(acac)、トリフルイミド、またはトシレートなどの、配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；かつ
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択される。
【０００６】
本発明は式(II)のプレ触媒またはその塩もしくは溶媒和物をさらに提供する。
2020515398.tif 000004
(II)において、
Mは遷移金属であり；
Xは、非限定的にはトリフレートすなわちトリフルオロメタンスルホネート(または非限定的にはペンタフルオロエタンスルホネート、ヘプタフルオロプロパンスルホネート、および/またはノナフルオロブタンスルホネートなどの他のパーフルオロアルカンスルホネート)、ハライド、メシレート、テトラフルオロボレート、ヘキサフルオロホスフェート、ヘキサフルオロアンチモネート、テトラフェニルボレート、アセテート、トリフルオロアセテート、アセチルアセトネート(acac)、トリフルイミド、またはトシレートなどの、配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択され；かつ
Lは単座または二座の配位子であるが、但しLは式PR*3の単座ホスフィン配位子ではなく、ここでR*は各出現時には独立してフェニル、シクロヘキシル、メチル、およびメトキシからなる群より選択される。
【０００７】
特定の態様では、プレ触媒は式(IIA)の化合物またはその塩もしくは溶媒和物である。
2020515398.tif 000005
(IIA)において、
Lは
2020515398.tif 000006
として表される二座配位子であり、ここで各L*は独立して単座配位子基であり、XはMに配位していない。
【０００８】
特定の態様では、(I)におけるMは各出現時には独立してPd、Ni、およびPtからなる群より選択される。別の態様では、(II)においてMはPd、Ni、およびPtからなる群より選択される。別の態様では、(I)における2つ出現するMは同じである。また別の態様では、(I)における2つ出現するMはPdである。また別の態様では、(II)においてMはPdである。
【０００９】
特定の態様では、5員環を含む2つの配位子は同じである。
【００１０】
特定の態様では、Zは各出現時には独立してCHおよびCRからなる群より選択される。
【００１１】
特定の態様では、(I)におけるXは各出現時には同一である。
【００１２】
特定の態様では、Xは各出現時には独立してパーフルオロアルカンスルホネート、ハライド、メシレート、テトラフルオロボレート、ヘキサフルオロホスフェート、ヘキサフルオロアンチモネート、テトラフェニルボレート、アセテート、トリフルオロアセテート、アセチルアセトネート、トリフルイミド、およびトシレートからなる群より選択される。また別の態様では、Xは各出現時には独立してトリフレート、ペンタフルオロエタンスルホネート、ヘプタフルオロプロパンスルホネート、およびノナフルオロブタンスルホネートからなる群より選択される。
【００１３】
特定の態様では、(I)におけるXは各出現時にはパーフルオロアルカンスルホネートである。別の態様では、(I)におけるXは各出現時にはトリフレートである。
【００１４】
特定の態様では、(II)におけるXはパーフルオロアルカンスルホネートである。別の態様では、(II)におけるXはトリフレートである。
【００１５】
特定の態様では、Lは1,3-ビス(2,6-ジイソプロピルフェニル)-1,3-ジヒドロ-2H-イミダゾール-2-イリデンおよび1,3-ビス(2,6-ビス-(ジフェニルメチル)-4-メトキシフェニル)イミダゾール-2-イリデンからなる群より選択される。別の態様では、Lは二座ホスフィン配位子である。また別の態様では、LはAmPhos(ジ-t-ブチルホスフィノ-4-ジメチルアミノベンゼン)、DavePhos(2-ジシクロヘキシルホスフィノ-2'-(N,N-ジメチルアミノ)ビフェニル)、tBuDavePhos(2-ジ-tert-ブチルホスフィノ-2'-(N,N-ジメチルアミノ)ビフェニル)、QPhos(1,2,3,4,5-ペンタフェニル-1'-(ジ-tert-ブチルホスフィノ)フェロセン)、RuPhos(2-ジシクロヘキシルホスフィノ-2',6'-ジイソプロポキシビフェニル)、SPhos(2-ジシクロヘキシルホスフィノ-2',6'-ジメトキシビフェニル)、XPhos(2-ジシクロヘキシルホスフィノ-2',4',6'-トリイソプロピルビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、BrettPhos(2-(ジシクロヘキシルホスフィノ)-3,6-ジメトキシ-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)、BippyPhos(5-(ジ-tert-ブチルホスフィノ)-1',3',5'-トリフェニル-1'H-[1,4']ビピラゾール)、DPPF(1,1'-ビス(ジフェニルホスフィノ)フェロセン)、XantPhos(4,5-ビス(ジフェニルホスフィノ)-9,9-ジメチルキサンテン)、NiXantPhos(4,6-ビス(ジフェニルホスファニル)-10H-フェノキサジン)、dppe(1,2-ビス(ジフェニルホスフィノ)エタン)、dppm(1,1-ビス(ジフェニルホスフィノ)メタン)、dppp(1,3-ビス(ジフェニルホスフィノ)プロパン)、dppb(1,4-ビス(ジフェニルホスフィノ)ブタン)、BINAP(2,2'-ビス(ジフェニルホスフィノ)-1,1'-ビナフチル)、DPEPhos(ビス[(2-ジフェニルホスフィノ)フェニル]エーテル)、1,2-ビス(ジクロロホスフィノ)エタン、およびdcpe(1,2-ビス(ジシクロヘキシルホスフィノ)-エタン)からなる群より選択される少なくとも1つである。また別の態様では、LはN-ヘテロ環カルビン(NHC)、トリフェニルホスフィン、トリ(o-トリル)ホスフィン、トリシクロヘキシルホスフィン、トリ(t-ブチル)ホスフィン、トリメチルホスフィン、トリメトキシホスフィン、PAd3(Ad=アダマンチル)、トリナフチルホスフィン、トリ(ペンタフルオロフェニル)ホスフィン、ジフェニル-2-ピリジルホスフィン、トリ(2-フリル)ホスフィン、トリ(n-オクチル)ホスフィン、ジメチルフェニルホスフィン、AmPhos(ジ-t-ブチルホスフィノ-4-ジメチルアミノベンゼン)、DavePhos(2-ジシクロヘキシルホスフィノ-2'-(N,N-ジ��チルアミノ)ビフェニル)、tBuDavePhos(2-ジ-tert-ブチルホスフィノ-2'-(N,N-ジメチルアミノ)ビフェニル)、QPhos(1,2,3,4,5-ペンタフェニル-1'-(ジ-tert-ブチルホスフィノ)フェロセン)、RuPhos(2-ジシクロヘキシルホスフィノ-2',6'-ジイソプロポキシビフェニル)、SPhos(2-ジシクロヘキシルホスフィノ-2',6'-ジメトキシビフェニル)、XPhos(2-ジシクロヘキシルホスフィノ-2',4',6'-トリイソプロピルビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、BrettPhos(2-(ジシクロヘキシルホスフィノ)3,6-ジメトキシ-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)、BippyPhos(5-(ジ-tert-ブチルホスフィノ)-1',3',5'-トリフェニル-1'H-[1,4']ビピラゾール)、DPPF(1,1'-ビス(ジフェニルホスフィノ)フェロセン)、XantPhos(4,5-ビス(ジフェニルホスフィノ)-9,9-ジメチルキサンテン)、NiXantPhos(4,6-ビス(ジフェニルホスファニル)-10H-フェノキサジン)、dppe(1,2-ビス(ジフェニルホスフィノ)エタン)、dppm(1,1-ビス(ジフェニルホスフィノ)メタン)、dppp(1,3-ビス(ジフェニルホスフィノ)プロパン)、dppb(1,4-ビス(ジフェニルホスフィノ)ブタン)、BINAP(2,2'-ビス(ジフェニルホスフィノ)-1,1'-ビナフチル)、DPEPhos(ビス[(2-ジフェニルホスフィノ)フェニル]エーテル)、1,2-ビス(ジクロロホスフィノ)エタン、およびdcpe(1,2-ビス(ジシクロヘキシルホスフィノ)-エタン)からなる群より選択される少なくとも1つである。
【００１６】
本発明は発明の式(II)のプレ触媒を調製する方法をさらに提供する。特定の態様では、方法は、反応混合物を形成するために、塩基の存在下で、有機溶媒中で配位子
2020515398.tif 000007
と混合アルカリ/遷移金属またはアルカリ土類/遷移金属塩を接触させる工程を含む。別の態様では、混合アルカリ/遷移金属またはアルカリ土類/遷移金属塩がパーフルオロアルカンスルホネート塩を含まない場合、反応混合物をパーフルオロアルカンスルホネート塩とさらに接触させる。また別の態様では、塩基は炭酸ナトリウムを含む。また別の態様では、有機溶媒はメタノールを含む。また別の態様では、プレ触媒は反応混合物から析出する。また別の態様では、混合塩は[E]MX'2を含み、ここで[E]はNa2、K2、CaまたはMgであり；X'はClまたはパーフルオロアルカンスルホネートである。また別の態様では、混合塩はNa2PdCl2を含む。また別の態様では、混合アルカリ/遷移金属塩または混合アルカリ土類/遷移金属塩は溶液中でMX'2をアルカリまたはアルカリ土類塩と接触させることによって調製される。
【００１７】
本発明は発明の式(I)のプレ触媒を調製する方法をさらに提供する。特定の態様では、方法は式(I)の触媒を配位子Lと接触させる工程を含む。
【００１８】
本発明は第1試薬と第2試薬との反応を促進する方法をさらに提供する。特定の態様では、方法は、（a）配位子、および式(I)のプレ触媒またはその塩もしくは溶媒和物、ならびに（b）式(II)のプレ触媒またはその塩もしくは溶媒和物、からなる群より選択される少なくとも1つの存在下で第1試薬と第2試薬とを接触させる工程を含む。
【００１９】
特定の態様では、第1試薬は芳香族またはヘテロ芳香族ボロン酸またはエステルであり、第2試薬は芳香族またはヘテロ芳香族ハライド、トシレート、トリフレート、メシレート、スルファメート、またはカルバメートである。
【００２０】
特定の態様では、第1試薬は芳香族またはヘテロ芳香族アミンであり、第2試薬は芳香族、ヘテロ芳香族、またはビニルハライド、トシレート、トリフレート、メシレート、スルファメート、またはカルバメートである。
【００２１】
特定の態様では、第1試薬は芳香族またはヘテロ芳香族ハロゲン化亜鉛であり、第2試薬は芳香族、ヘテロ芳香族、またはビニルハライド、トシレート、トリフレート、メシレート、スルファメート、またはカルバメートである。
【００２２】
特定の態様では、第1試薬は芳香族またはヘテロ芳香族ハロゲン化マグネシウムであり、第2試薬は芳香族、ヘテロ芳香族、またはビニルハライド、トシレート、トリフレート、メシレート、スルファメート、またはカルバメートである。
【００２３】
特定の態様では、第1試薬は芳香族またはヘテロ芳香族ハロゲン化スズであり、第2試薬は芳香族、ヘテロ芳香族、またはビニルハライド、トシレート、トリフレート、メシレート、スルファメート、またはカルバメートである。
【００２４】
特定の態様では、第1試薬はケトン、アルデヒド、イミン、アミド、またはエステルであり、第2試薬は芳香族、ヘテロ芳香族、またはビニルハライド、トシレート、トリフレート、メシレート、スルファメート、またはカルバメートである。
【００２５】
特定の態様では、第1試薬はアルコールまたはチオールであり、第2試薬は芳香族、ヘテロ芳香族、またはビニルハライド、トシレート、トリフレート、メシレート、スルファメート、またはカルバメートである。
【００２６】
特定の態様では、第1試薬は芳香族またはヘテロ芳香族シラノール、シロキサンまたはシランであり、第2試薬は芳香族、ヘテロ芳香族、またはビニルハライド、トシレート、トリフレート、メシレート、スルファメート、またはカルバメートである。
【００２７】
本発明は第1級または第2級アルコールの嫌気的酸化を促進する方法をさらに提供する。特定の態様では、方法は、（a）配位子、および式(I)のプレ触媒またはその塩もしくは溶媒和物、ならびに（b）式(II)のプレ触媒またはその塩もしくは溶媒和物、からなる群より選択される少なくとも1つと第1級または第2級アルコールを接触させる工程を含む。
【図面の簡単な説明】
【００２８】
発明を説明する目的のため、発明の特定の態様を図面に示す。しかしながら、本発明は図面に示す態様の厳密な配置および装備に限定されない。
【００２９】
【図１】図1は発明のプレ触媒を用いて実施できる例示的な反応スキームのセットである。
【図２】図2は、KOiPr(iPrOH中でKOtBuから生成)との(η3-アリル)Pd(IPr)(Cl)タイプのプレ触媒の活性化についての非限定的な経路を説明したスキームである。Pd(0)への活性化(工程i)およびPd(I)へのコンプロポーショネーション(comproporthionation)(工程ii)の速度の両方が触媒活性に影響する。
【図３】図3は先行技術に記載の(η3-1-tBu-インデニル)Pd(L)(Cl)プレ触媒に関する問題および発明の非置換インデニル-トリフレートプレ触媒の非限定的な特性を説明したスキームである。
【図４】図4は架橋トリフレートを含むインデニル二量体プレ触媒骨格ならびに単座および二座配位子担持インデニルトリフレートプレ触媒の例示的な合成を説明したスキームである。
【図５】図5は(η3-インデニル)Pd(AdBrettPhos)(Cl)プレ触媒の例示的なORTEPである。楕円体は30％の確率で示されている。明確にするために水素原子は省略されている。
【図６】図6は(η3-インデニル)Pd(PCy3)(OTf)プレ触媒の例示的なORTEPである。楕円体は30％の確率で示されている。明確にするために水素原子は省略されている。
【発明を実施するための形態】
【００３０】
発明の詳細な説明
本発明は活性カップリング触媒を調製する際に有用な新規な遷移金属プレ触媒の予想外の発見に部分的に関連する。特定の態様では、発明のプレ触媒は空気に安定でありかつ水分に安定である。別の態様では、発明のプレ触媒は式(I)の二量体プレ触媒を含む。さら別の態様では、発明のプレ触媒は式(II)の単量体プレ触媒を含む。本発明は発明のプレ触媒を製造するおよび使用する方法をさらに提供する。
【００３１】
定義
本明細書において用いるように、以下の用語のそれぞれは、このセクションにおいてその用語と関連付けられる意味を有する。
【００３２】
特に定義した場合を除いて、本明細書において用いるすべての技術的および科学的用語は、概して、本発明が属する技術分野における当業者によって通常は解釈されるものと同一の意味を有する。概して、本明細書において用いる命名法ならびに動物薬理学、薬学、分離科学および有機化学における実験手順は当技術分野で周知かつ通常は採用されているものである。
【００３３】
本明細書において用いるように、冠詞「a」および「an」はその冠詞の文法上の目的語の1つまたは複数(即ち、少なくとも1つ)を指す。例を挙げると、「元素(an element)」は1つの元素または1つより多い元素を意味する。
【００３４】
本明細書において用いるように、「約」という用語は当業者によって理解され、それが用いられる文脈によってある程度異なる。量、時間的な長さなどの計測可能な値を指す場合に本明細書において用いるように、「約」という用語は特定された値から±20％または±10％、より好ましくは±5％、さらにより好ましくは±1％、およびなおさらに好ましくは±0.1％のバラツキを包含することを意味しており、そのようなバラツキでも開示の方法を実施するには適切である。
【００３５】
本明細書において用いるように、単独でまたは別の用語と組み合わせて採用される「アルケニル」という用語は、特に明記しない限り、記載の数の炭素原子を有する安定な一不飽和または二不飽和の直鎖または分岐鎖炭化水素基を意味する。例はビニル、プロペニル(またはアリル)、クロチル、イソペンテニル、ブタジエニル、1,3-ペンタジエニル、1,4-ペンタジエニル、ならびにより高級な同族体および異性体を含む。アルケンを表す官能基は-CH2-CH=CH2が例示される。
【００３６】
本明細書において用いるように、単独でまたは別の用語と組み合わせて採用される「アルコキシ」という用語は、特に明記しない限り、上に規定のように、指定した数の炭素原子を有し、酸素原子を介して分子の残りの部分に結合した、アルキル基、例えば、メトキシ、エトキシ、1-プロポキシ、2-プロポキシ(イソプロポキシ)ならびにより高級な同族体および異性体などを意味する。具体例は非限定的にはエトキシおよびメトキシなどの(C1〜C3)アルコキシである。
【００３７】
本明細書において用いるように、単独でまたは別の置換基の一部としての「アルキル」という用語は、特に明記しない限り、指定した炭素原子数(すなわち、C1〜C10は1〜10個の炭素原子を意味する)を有する直鎖または分岐鎖炭化水素を意味し、直鎖、分枝鎖、または環状の置換基を含む。例はメチル、エチル、プロピル、イソプロピル、ブチル、イソブチル、tert-ブチル、ペンチル、ネオペンチル、ヘキシル、およびシクロプロピルメチルを含む。選択される例は非限定的にはエチル、メチル、イソプロピル、イソブチル、n-ペンチル、n-ヘキシルおよびシクロプロピルメチルなどの(C1〜C6)アルキルである。
【００３８】
本明細書において用いるように、単独でまたは別の用語と組み合わせて採用される「アルキニル」という用語は、特に明記しない限り、記載の数の炭素原子を有する、炭素-炭素三重結合を伴う安定した直鎖または分岐鎖炭化水素基を意味する。非限定的な例はエチニルおよびプロピニルならびにより高級な同族体および異性体を含む。「プロパルギル」という用語は-CH2-C≡CHによって例示される基を指す。「ホモプロパルギル」という用語は-CH2CH2-C≡CHによって例示される基を指す。「置換プロパルギル」という用語は-CR2-C≡CR'によって例示される基を指し、ここでR'は各出現時には独立してH、アルキル、置換アルキル、アルケニルまたは置換アルケニルであるが、但し少なくとも1つのR'基は水素ではない。「置換ホモプロパルギル」という用語は-CR'2CR'2-C≡CR'によって例示される基を指し、ここでR'は各出現時には独立してH、アルキル、置換アルキル、アルケニルまたは置換アルケニルであるが、但し少なくとも1つのR'基は水素ではない。
【００３９】
本明細書において用いるように、「芳香族」という用語は、芳香性を有する、すなわちnが整数である(4n+2)個の非局在化π(パイ)電子を有する、1つまたは複数の多価不飽和環を備えた炭素環またはヘテロ環を指す。
【００４０】
本明細書において用いるように、単独でまたは別の用語と組み合わせて採用される「アリール」という用語は、特に明記しない限り、1つまたは複数の環(典型的には1、2、または3つの環)を含有する炭素環式芳香族系を意味し、ここでそのような環はビフェニルのようにペンダント様式で互いに繋がっていてもよいし、またはナフタレンのように縮合していてもよい。例はフェニル、アントラニル、およびナフチルを含む。
【００４１】
本明細書において用いるように、「アリール-(C1〜C3)アルキル」という用語は炭素1〜3個のアルキレン鎖がアリール基に結合した、例えば、-CH2CH2-フェニルまたは-CH2-フェニル(ベンジル)である官能基を指す。具体例はアリール-CH2-およびアリール-CH(CH3)-である。「置換アリール-(C1〜C3)アルキル」という用語はアリール基が置換されたアリール-(C1〜C3)アルキル官能基を指す。具体例は置換アリール(CH2)-である。同様に、「ヘテロアリール-(C1〜C3)アルキル」という用語は炭素1〜3個のアルキレン鎖がヘテロアリール基に結合した、例えば、-CH2CH2-ピリジルである官能基を指す。具体例はヘテロアリール-(CH2)-である。「置換ヘテロアリール-(C1〜C3)アルキル」という用語はヘテロアリール基が置換されたヘテロアリール-(C1〜C3)アルキル官能基を指す。具体例は置換ヘテロアリール-(CH2)-である。
【００４２】
本明細書において用いるように、単独でまたは別の置換基の一部としての「シクロアルキル」という用語は、特に明記しない限り、指定した炭素原子数(すなわち、C3〜C6は3〜6個の炭素原子からなる環基を含む環状基を指す)を有する環状炭化水素を指し、直鎖、分枝鎖、または環状の置換基を含む。例はシクロプロピル、シクロブチル、シクロペンチル、シクロヘキシル、シクロヘプチル、およびシクロオクチルを含む。他の例は非限定的にはシクロプロピル、シクロブチル、シクロペンチルおよびシクロヘキシルなどの(C3〜C6)シクロアルキルである。
【００４３】
本明細書において用いるように、「ハライド」という用語は負電荷を有するハロゲン原子を指す。ハライドアニオンはフッ化物(F-)、塩化物(Cl-)、臭化物(Br-)、およびヨウ化物(I-)である。
【００４４】
本明細書において用いるように、「ハロ」または「ハロゲン」という用語は単独でまたは別の置換基の一部として、特に明記しない限り、フッ素、塩素、臭素、またはヨウ素原子を指す。
【００４５】
本明細書において用いるように、単独でまたは別の用語と組み合わせた「ヘテロアルケニル」という用語は、特に明記しない限り、記載の数の炭素原子とO、N、およびSからなる群より選択される1または2個のヘテロ原子とからなる安定な直鎖または分岐鎖一不飽和または二不飽和の炭化水素基を指し、ここで窒素および硫黄原子は任意で酸化されていてもよく、窒素ヘテロ原子は任意で四級化されていてもよい。ヘテロ原子が最大で2個まで連続して配置されてもよい。例は-CH=CH-O-CH3、-CH=CH-CH2-OH、-CH2-CH=N-OCH3、-CH=CH-N(CH3)-CH3、および-CH2-CH=CH-CH2-SHを含む。
【００４６】
本明細書において用いるように、単独でまたは別の用語と組み合わせた「ヘテロアルキル」という用語は、特に明記しない限り、記載の数の炭素原子とO、N、およびSからなる群より選択される1または2個のヘテロ原子とからなる安定な直鎖または分岐鎖アルキル基を指し、ここで窒素および硫黄原子は任意で酸化されていてもよく、窒素ヘテロ原子は任意で四級化されていてもよい。ヘテロ原子は、ヘテロアルキル基の残り部分とそれが結合したフラグメントとの間や、ヘテロアルキル基における最も遠位の炭素原子への結合を含む、ヘテロアルキル基の任意の位置に配置されてもよい。例は-O-CH2-CH2-CH3、-CH2-CH2-CH2-OH、-CH2-CH2-NH-CH3、-CH2-S-CH2-CH3、および-CH2CH2-S(=O)-CH3を含む。例えば、-CH2-NH-OCH3または-CH2-CH2-S-S-CH3などのようにヘテロ原子が最大で2個まで連続してもよい。
【００４７】
本明細書において用いるように、単独でまたは別の置換基の一部としての「ヘテロ環」または「ヘテロシクリル」または「ヘテロ環式」という用語は、特に明記しない限り、炭素原子と、N、O、およびSからなる群より選択される少なくとも1個のヘテロ原子とからなる非置換または置換された安定な単環式または多環式ヘテロ環系を指し、ここで窒素および硫黄ヘテロ原子は任意で酸化されていてもよく、窒素原子は任意で四級化されていてもよい。ヘテロ環系は、特に明記しない限り、安定した構造をもたらす任意のヘテロ原子または炭素原子に結合していてもよい。ヘテロ環は本質的に芳香性または非芳香性であってもよい。特定の態様では、ヘテロ環はヘテロアリールである。
【００４８】
本明細書において用いるように、「ヘテロアリール」または「ヘテロ芳香族」という用語は芳香族特性を有するヘテロ環を指す。多環式ヘテロアリールは部分的に飽和した1つまたは複数の環を含んでもよい。例はテトラヒドロキノリンおよび2,3-ジヒドロベンゾフリルを含む。
【００４９】
非芳香族ヘテロ環の例はアジリジン、オキシラン、チイラン、アゼチジン、オキセタン、チエタン、ピロリジン、ピロリン、イミダゾリン、ピラゾリジン、ジオキソラン、スルホラン、2,3-ジヒドロフラン、2,5-ジヒドロフラン、テトラヒドロフラン、チオファン、ピペリジン、1,2,3,6-テトラヒドロピリジン、1,4-ジヒドロピリジン、ピペラジン、モルホリン、チオモルホリン、ピラン、2,3-ジヒドロピラン、テトラヒドロピラン、1,4-ジオキサン、1,3-ジオキサン、ホモピペラジン、ホモピペリジン、1,3-ジオキセパン、4,7-ジヒドロ-1,3-ジオキセピンおよびヘキサメチレンオキシドなどの単環式基を含む。
【００５０】
ヘテロアリール基の例はピリジル、ピラジニル、ピリミジニル(非限定的には2-および4-ピリミジニルなど)、ピリダジニル、チエニル、フリル、ピロリル、イミダゾリル、チアゾリル、オキサゾリル、ピラゾリル、イソチアゾリル、1,2,3-トリアゾリル、1,2,4-トリアゾリル、1,3,4-トリアゾリル、テトラゾリル、1,2,3-チアジアゾリル、1,2,3-オキサジアゾリル、1,3,4-チアジアゾリルおよび1,3,4-オキサジアゾリルを含む。
【００５１】
多環式ヘテロ環の例はインドリル(非限定的には3-、4-、5-、6-、および7-インドリルなど)、インドリニル、キノリル、テトラヒドロキノリル、イソキノリル(非限定的には1-および5-イソキノリルなど)、1,2,3,4-テトラヒドロイソキノリル、シンノリニル、キノキサリニル(非限定的には2-および5-キノキサリニルなど)、キナゾリニル、フタラジニル、1,8-ナフチリジニル、1,4-ベンゾジオキサニル、クマリン、ジヒドロクマリン、1,5-ナフチリジニル、ベンゾフリル(非限定的には3-、4-、5-、6-および7-ベンゾフリルなど)、2,3-ジヒドロベンゾフリル、1,2-ベンゾイソオキサゾリル、ベンゾチエニル(非限定的には3-、4-、5-、6-、および7-ベンゾチエニルなど)、ベンゾオキサゾリル、ベンゾチアゾリル(非限定的には2-ベンゾチアゾリルおよび5-ベンゾチアゾリルなど)、プリニル、ベンゾイミダゾリル、ベンゾトリアゾリル、チオキサンチニル、カルバゾリル、カルボリニル、アクリジニル、ピロリジジニル、およびキノリジジニルを含む。
【００５２】
上に列挙したヘテロ環およびヘテロアリール部分は代表的かつ非限定的であることを意図している。
【００５３】
本明細書において用いるように、「配位子」という用語は金属中心に配位することが可能な任意の有機または無機分子またはイオンを指す。特定の態様では、配位子は金属中心に配位することができる1つまたは複数の孤立電子対を含む。
【００５４】
本明細書において用いるように、「プレ触媒」という用語は特定の反応条件下で活性クロスカップリング触媒に変換される遷移金属含有錯体を指す。特定の態様では、プレ触媒は二量体である、すなわち1分子あたり遷移金属を2個含有する。別の態様では、プレ触媒は単量体である、すなわち1分子あたり遷移金属を1個含有する。また別の態様では、活性クロスカップリング触媒へのプレ触媒の変換は選択された配位子とプレ触媒を接触させることを含む。
【００５５】
本明細書において用いるように、以下の用語はそれぞれの化合物を指す：
AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、
AmPhos(ジ-t-ブチルホスフィノ-4-ジメチルアミノベンゼン)、
1,2-ビス(ジクロロホスフィノ)エタン、
BrettPhos(2-(ジシクロヘキシルホスフィノ)-3,6-ジメトキシ-2',4',6'-トリイソプロピル-1,1'-ビフェニル)、
AdBrettPhos(2-(ジアダマンチルホスフィノ)-2',4',6'-トリイソプロピル-3,6-ジメトキシ-1,1'-ビフェニル)、
tBuBrettPhos(2-(ジ-tert-ブチルホスフィノ)-2',4',6'-トリイソプロピル-3,6-ジメトキシ-1,1'-ビフェニル)、
BINAP(2,2'-ビス(ジフェニルホスフィノ)-1,1'-ビナフチル)、
BippyPhos(5-(ジ-tert-ブチルホスフィノ)-1',3',5'-トリフェニル-1'H-[1,4']ビピラゾール)、
DavePhos(2-ジシクロヘキシルホスフィノ-2'-(N、N-ジメチルアミノ)ビフェニル)、
tBuDavePhos(2-ジ-tert-ブチルホスフィノ-2'-(N、N-ジメチルアミノ)ビフェニル)、
dcpe(1,2-ビス(ジシクロヘキシルホスフィノ)-エタン)、
dppb(1,4-ビス(ジフェニルホスフィノ)ブタン)、
dppe(1,2-ビス(ジフェニルホスフィノ)エタン)、
DPPF(1,1'-ビス(ジフェニルホスフィノ)フェロセン)、
DPEPhos(ビス[(2-ジフェニルホスフィノ)フェニル]エーテル)、
dppm(1,1-ビス(ジフェニルホスフィノ)メタン)、
dppp(1,3-ビス(ジフェニルホスフィノ)プロパン)、
IPr(1,3-ビス(2,6-ジイソプロピルフェニル)-1,3-ジヒドロ-2H-イミダゾール-2-イリデン)、
IPr*OMe(1,3-ビス(2,6-ビス-(ジフェニルメチル)-4-メトキシフェニル)イミダゾール-2-イリデン)、
Me-DalPhos(2-(ジ-1-アダマンチルホスフィノ)フェニルピペリジン)、
Mor-DalPhos(ジ(1-アダマンチル)-2-モルホリノフェニルホスフィン)、
NiXantPhos(4,6-ビス(ジフェニルホスファニル)-10H-フェノキサジン)、
PipDalPhos(1-(2-(ジ((3S,5S,7S)-アダマンタン-1-イル)ホスファニル)フェニル)ピペリジン)、
QPhos(1,2,3,4,5-ペンタフェニル-1'-(ジ-tert-ブチルホスフィノ)フェロセン)、
RockPhos(2-ジ(tert-ブチル)ホスフィノ-2',4',6'-トリイソプロピル-3-メトキシ-6-メチルビフェニル)、
RuPhos(2-ジシクロヘキシルホスフィノ-2'、6'-ジイソプロポキシビフェニル)、
SPhos(2-ジシクロヘキシルホスフィノ-2'、6'-ジメトキシビフェニル)、
TrippyPhos(1-[2-[ビス(tert-ブチル)ホスフィノ]フェニル]-3,5-ジフェニル-1H-ピラゾール)、
XantPhos(4,5-ビス(ジフェニルホスフィノ)-9,9-ジメチルキサンテン)、
XPhos(2-ジシクロヘキシルホスフィノ-2',4',6'-トリイソプロピルビフェニル)、
Me4tBuXPhos(2-ジ-tert-ブチルホスフィノ-3,4,5,6-テトラメチル-2',4',6'-トリイソプロピル-1,1'-ビフェニル)、
tBuXPhos(2-ジ-tert-ブチルホスフィノ-2',4',6'-トリイソプロピルビフェニル)。
【００５６】
本明細書において用いるように、「置換」という用語は別の基に結合した置換基として原子または原子団が水素を置き換えたことを指す。
【００５７】
本明細書において用いるように、「置換アルキル」、「置換シクロアルキル」、「置換アルケニル」または「置換アルキニル」という用語は、ハロゲン、-OH、アルコキシ、テトラヒドロ-2-H-ピラニル、-NH2、-N(CH3)2、(1-メチル-イミダゾール-2-イル)、ピリジン-2-イル、ピリジン-3-イル、ピリジン-4-イル、-C(=O)OH、トリフルオロメチル、-C≡N、-C(=O)O(C1〜C4)アルキル、-C(=O)NH2、-C(=O)NH(C1〜C4)アルキル、-C(=O)N((C1〜C4)アルキル)2、-SO2NH2、-C(=NH)NH2、および-NO2からなる群より選択される1、2または3個の置換基によって置換された、好ましくはハロゲン、-OH、アルコキシ、-NH2、トリフルオロメチル、-N(CH3)2、および-C(=O)OHより選択される、より好ましくはハロゲン、アルコキシおよび-OHより選択される1または2個の置換基を含有する、上に規定したアルキル、シクロアルキル、アルケニルまたはアルキニルを指す。置換アルキルの例は2,2-ジフルオロプロピル、2-カルボキシシクロペンチルおよび3-クロロプロピルを非限定的に含む。
【００５８】
アリール、アリール-(C1〜C3)アルキルおよびヘテロシクリル基については、これらの基の環に適用される「置換」という用語はあらゆるレベルの置換、つまりモノ、ジ、トリ、テトラ、またはペンタ置換をそのような置換が許容される場合に指す。置換基は独立して選択され、置換はあらゆる化学的にアクセス可能な位置におけるものであってもよい。特定の態様では、置換基の数は1〜4個の間で異なる。別の態様では、置換基の数は1〜3個の間で異なる。また別の態様では、置換基の数は1〜2個の間で異なる。また別の態様では、置換基は独立してC1〜6アルキル、-OH、C1〜6アルコキシ、ハロ、アミノ、アセトアミドおよびニトロからなる群より選択される。本明細書において用いるように、置換基がアルキルまたはアルコキシ基である場合には、炭素鎖は分岐、直鎖または環状であってもよい。
【００５９】
本明細書において用いるように、「トリフレート」または「OTf」という用語はCF3S(=O)2O-としても記されるトリフルオロメタンスルホネート基またはアニオンを指す。
【００６０】
本明細書において用いるように、「トシレート」または「OTs」という用語はp-CH3-C6H4S(=O)2O-としても記されるp-トルエンスルホネート基またはアニオンを指す。
【００６１】
本明細書において用いるように、「トリフルイミド」という用語は(CF3SO2)2N-としても記されるビス(トリフルオロメタンスルホニル)アミド基またはアニオンを指す。
【００６２】
本明細書において用いるように、「擬ハライド」という用語は、真のハロゲンと同様の結合特性を有する、ハライドの多原子類似体のファミリーのうちのいずれかを指す。擬ハライドはシアノ、イソシアニド、スルフヒドリル、イソチオシアネート、アジドおよびトリフレート基を非限定的に含み得る。
【００６３】
範囲：本開示全体にわたり発明の様々な局面が範囲の形式で表されることがある。範囲の形式での記載は単に利便性および簡潔性のためであると理解すべきであり、発明の範囲に対する不変の限定として解釈すべきではない。したがって、範囲の記載は、可能なより狭い範囲や、その範囲内の個々の数値をすべて具体的に開示していると解釈すべきである。例えば、1〜6などの範囲の記載は1〜3、1〜4、1〜5、2〜4、2〜6、3〜6などのより狭い範囲や、その範囲内の個々のおよび部分的な数字、例えば、1、2、2.7、3、4、5、5.3、および6を具体的に開示していると解釈すべきである。これは範囲の広さにかかわらず適用される。
【００６４】
説明
本発明は活性カップリング触媒を調製する際に有用な新規の遷移金属プレ触媒の予想外の発見に関連する。特定の態様では、発明のプレ触媒は空気に安定でありかつ水分に安定である。本発明は発明のプレ触媒を製造するおよび使用する方法を提供する。
【００６５】
一つの局面では、Pd(II)プレ触媒の有効性における重要な特徴は、反応条件下での単一の配位子を有するL-Pd(0)活性種へのそれらの変換の速度および効率である。例えば、Nolan型(η3アリル)Pd(NHC)(Cl)(NHC=N-ヘテロ環カルベン)プレ触媒の効率は2つの要因に関連する：（i)触媒的に活性なL-Pd(0)種を形成するための、配位子を有するプレ触媒骨格の活性化の速度および（ii）(μ-アリル)(μ-Cl)Pd2(L)2の形態のPd(I)μ-アリル二量体を形成しかつ反応混合物からL-Pd(0)を除去する、L-Pd(0)と出発プレ触媒との間のコンプロポーショネーション(図2)。
【００６６】
本明細書において実証されるように、改良されたプレ触媒はコンプロポーショネーションに対する障壁をさらに高めることによって設計することができる。特定の態様では、Pd(I)を形成するPd(II)とPd(0)との間の有害なコンプロポーショネーションよりもPd(II)のPd(0)への変換が著しく速くなるように、Pd(II)プレ触媒がPd(0)に変換されるスピードが速められる。特定の態様では、発明のプレ触媒は多量の不活性なPd(I)二量体を形成することなく触媒作用に関与する。別の態様では、発明のプレ触媒はホスフィンまたはNHC配位子と適合性がある。
【００６７】
本開示は式(η3-インデニル)Pd(L)(X)の新規なプレ触媒を提供し、式中Xは配位していないかまたは弱く配位した配位子(トリフレートすなわちトリフルオロメタンスルホネート、-OTfなど)である。発明のプレ触媒は鈴木・宮浦反応のための(η3-シンナミル)Pd(IPr)(Cl)よりも遥かに触媒効率が高い。特定の態様では、二量体化合物(η3-インデニル)2(μ-OTf)2Pd2は適切な配位子Lと組み合わせてプレ触媒として用いられ、その二量体類似体(η3-シンナミル)2(μ-Cl)2Pd2と比べて優れたプレ触媒である。特定の態様では、式(η3-インデニル)Pd(L)(OTf)のプレ触媒はLが嵩高い二座配位子である場合に分離可能であるのに対し、同じ嵩高い二座配位子Lを備えた(η3-1-tBu-インデニル)Pd(L)(Cl)類似体はそうではない(図4参照)。別の態様では、式(η3-インデニル)Pd(L)(OTf)のプレ触媒は(η3-1-tBu-インデニル)Pd(L)(Cl)類似体と活性および効率が当程度である。
【００６８】
特定の態様では、発明の新規なプレ触媒骨格は少なくとも以下の反応で用いることができる：鈴木・宮浦、バックワルド・ハートウィグ、熊田、薗頭、ヘック、C-SおよびC-O結合形成、アルデヒドのα-アリール化、ケトンのα-アリール化、アミドのα-アリール化、ヘテロ環のα-アリール化、およびアルコールの嫌気的酸化。
【００６９】
Pd(II)インデニル錯体の合成
塩化インデニル二量体(η3-インデニル)2(μ-Cl)2Pd2(3a)は銀トリフレート(AgOTf)との一段階の反応を介してインデニルトリフレート二量体(η3-インデニル)2(μ-OTf)2Pd2(3a-OTf)に変換することができる。
【００７０】
本明細書において実証されるように、塩化インデニル二量体(η3-インデニル)2(μ-Cl)2Pd2(3a)は空気に感受性のある装置を使用せずに好気的条件下ワンポット合成で調製することができる(図4)。発明の例示的な合成では、1当量のNa2PdCl4(PdCl2および2当量のNaClからインサイチュで生成)をMeOH中でインデンとNa2CO3またはNaHCO3とで処理した。混合物を室温で2時間撹拌した。この期間中、溶液からは褐色の固形物が析出し、次いでこれをろ過し、水およびジエチルエーテルで順次に洗浄して3aを高収率(84％)および純度で得た。続いて、二量体塩化物錯体を、アセトニトリル中で2当量のAgOTfにより塩化物錯体を処理することによって、二量体インデニルトリフレート二量体(η3-インデニル)2(μ-OTf)2Pd2(3a-OTf)に変換した。トリフレート二量体錯体3a-OTfが高収率(88％)で単離された。
【００７１】
二量体錯体を次いで2当量のLにより処理して一連の単量体錯体(η3-インデニル)Pd(L)(OTf)(4a-OTf-L)を生成した。新規の錯体4a-OTf-Lは錯体用の1Hおよび31P NMR分光法によって特性決定され、ここでLはXPhos(81％)、tBuXPhos(92％)、BrettPhos(90％)、tBuBrettPhos(82％)、AdBrettPhos(85％)、Me4tBuPhos(90％)、RockPhos(80％)、AlPhos(81％)、MorDalPhos(90％)、PipDalPhos(95％)、およびTrippyPhos(80％)である。
【００７２】
代替的には、単量体錯体(η3-インデニル)Pd(L)(OTf)(4a-OTf-L)は、塩化物二量体をTHF中でAgOTfおよび2当量の適切なL配位子と反応させることによって塩化インデニル二量体(η3-インデニル)2(μ-Cl)2Pd2(3a)からワンポット反応を介して生成することができる。
【００７３】
プレ触媒
1つの局面では、本発明は式(I)のプレ触媒またはその塩もしくは溶媒和物を提供する。
2020515398.tif 000008
(I)において、
Mは各出現時には独立して遷移金属であり；
Xは各出現時には独立して、非限定的にはトリフレートすなわちトリフルオロメタンスルホネート(または非限定的には部分的にフッ素化されたアルカンスルホネートならびに/またはペンタフルオロエタンスルホネート、ヘプタフルオロプロパンスルホネートおよび/もしくはノナフルオロブタンスルホネートなどの任意の他のパーフルオロアルカンスルホネート)、ハライド、メシレート、テトラフルオロボレート、ヘキサフルオロホスフェート、ヘキサフルオロアンチモネート、テトラフェニルボレート、アセテート、トリフルオロアセテート、アセチルアセトネート(acac)、トリフルイミド、またはトシレートなどの、配位していないかまたは弱く配位した配位子であり；
Zは各出現時には独立してCH、CRまたはNであるが、但し0〜2個のZ基はNであるか；または5および6位のZ基は存在せず、4および7位のZ基は独立してRであり；
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール(例えば、ナフチルなど)、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択される。
【００７４】
特定の態様では、2つ出現するXは同一ではない。別の態様では、2つ出現するXは同一である。また別の態様では、Xはパーフルオロアルカンスルホネートである。また別の態様では、Xは部分的にフッ素化されたアルカンスルホネートである。また別の態様では、Xは各出現時には独立して選択されたパーフルオロアルカンスルホネートである。また別の態様では、Xは各出現時には同一のパーフルオロアルカンスルホネートである。また別の態様では、Xは各出現時には独立して選択された部分的にフッ素化されたアルカンスルホネートである。また別の態様では、Xは各出現時には同一の部分的にフッ素化されたアルカンスルホネートである。また別の態様では、パーフルオロアルカンスルホネートはトリフレート(トリフルオロメタンスルホネート)である。また別の態様では、パーフルオロアルカンスルホネートはペンタフルオロエタンスルホネートである。また別の態様では、パーフルオロアルカンスルホネートはヘプタフルオロプロパンスルホネートである。また別の態様では、パーフルオロアルカンスルホネートはノナフルオロブタンスルホネートである。また別の態様では、Xは各出現時にはトリフレートである。また別の態様では、Xは各出現時にはペンタフルオロエタンスルホネートである。また別の態様では、Xは各出現時にはヘプタフルオロプロパンスルホネートである。また別の態様では、Xは各出現時にはノナフルオロエタンスルホネートである。また別の態様では、Xはハライドである。また別の態様では、XはCl、Br、およびIからなる群より選択される。また別の態様では、XはClである。また別の態様では、XはBrである。また別の態様では、XはIである。また別の態様では、Xはメシレートである。また別の態様では、Xはテトラフルオロボレートである。また別の態様では、Xはヘキサフルオロホスフェートである。また別の態様では、Xはヘキサフルオロアンチモネートである。また別の態様では、Xはテトラフェニルボレートである。また別の態様では、Xはアセテートである。また別の態様では、Xはトリフルオロアセテートである。また別の態様では、Xはアセチルアセトネート(acac)である。また別の態様では、Xはトリフルイミドである。また別の態様では、Xはトシレートである。また別の態様では、Xは各出現時にはハライドである。また別の態様では、Xは各出現時にはメシレートである。また別の態様では、Xは各出現時にはテトラフルオロボレートである。また別の態様では、Xは各出現時にはヘキサフルオロホスフェートである。また別の態様では、Xは各出現時にはヘキサフルオロアンチモネートである。また別の態様では、Xは各出現時にはテトラフェニルボレートである。また別の態様では、Xは各出現時にはアセテートである。また別の態様では、Xは各出現時にはトリフルオロアセテートである。また別の態様では、Xは各出現時にはアセチルアセトネート(acac)である。また別の態様では、Xは各出現時にはトリフルイミドである。また別の態様では、Xは各出現時にはトシレートである。
【００７５】
特定の態様では、Mは各出現時には独立してPd、Ni、およびPtからなる群より選択される。別の態様では、(I)における2つ出現するMは同じである。また別の態様では、(I)における2つ出現するMは同じではない。また別の態様では、(I)における2つ出現するMはPdである。また別の態様では、(I)における2つ出現するMはNiである。また別の態様では、(I)における2つ出現するMはPtである。
【００７６】
特定の態様では、5員環を含む2つの配位子は同じである。別の態様では、5員環を含む2つの配位子は同じではない。
【００７７】
特定の態様では、5員環のそれぞれは1、2および3位が非置換であり、そこにはCH基のみを有する。
【００７８】
特定の態様では、Zは各出現時には独立してCHおよびCRからなる群より選択されるため、式(I)のプレ触媒は置換インデニル錯体である。
【００７９】
特定の態様では、Z基のいずれもNではない。別の態様では、Z基のうちの1つがNである。また別の態様では、Z基のうちの2つがNである。
【００８０】
別の局面では、本発明は式(II)のプレ触媒またはその塩もしくは溶媒和物を提供する。
2020515398.tif 000009
(II)において、
Mは遷移金属であり：
Xは非限定的にはトリフレートすなわちトリフルオロメタンスルホネート(または非限定的には部分的にフッ素化されたアルカンスルホネート、またはペンタフルオロエタンスルホネート、ヘプタフルオロプロパンスルホネートおよび/もしくはノナフルオロブタンスルホネートなどの任意の他のパーフルオロアルカンスルホネート)、ハライド、メシレート、テトラフルオロボレート、ヘキサフルオロホスフェート、ヘキサフルオロアンチモネート、テトラフェニルボレート、アセテート、トリフルオロアセテート、アセチルアセトネート(acac)、トリフルイミド、またはトシレートなどの、配位していないかまたは弱く配位した配位子であり；
Zは各出現時には独立してCH、CRまたはNであるが、但し0〜2個のZ基はNであるか;または5および6位のZ基は存在せず、4および7位のZ基は独立してRであり；
Rは各出現時には独立してC1〜C6アルキル、置換C1〜C6アルキル、C3〜C8シクロアルキル、置換C3〜C8シクロアルキル、C2〜C6アルケニル、置換C2〜C6アルケニル、C2〜C6アルキニル、置換C2〜C6アルキニル、フェニル、置換フェニル、フェニルアルキル、置換フェニルアルキル、アリール(例えば、ナフチルなど)、置換アリール、アリール-C1〜C6アルキル、置換アリール-C1〜C6アルキル、ヘテロアリール-C1〜C6アルキル、置換ヘテロアリール-C1〜C6アルキル、ヘテロアリール、および置換ヘテロアリールからなる群より選択され；かつ
Lは単座または二座の配位子である。
【００８１】
特定の態様では、Z基のいずれもNではない。別の態様では、Z基のうちの1つがNである。また別の態様では、Z基のうちの2つがNである。
【００８２】
特定の態様では、Xはパーフルオロアルカンスルホネートである。別の態様では、Xは部分的にフッ素化されたアルカンスルホネートである。また別の態様では、パーフルオロアルカンスルホネートはトリフレートである。また別の態様では、パーフルオロアルカンスルホネートはペンタフルオロエタンスルホネートである。また別の態様では、パーフルオロアルカンスルホネートはヘプタフルオロプロパンスルホネートである。また別の態様では、パーフルオロアルカンスルホネートはノナフルオロブタンスルホネートである。また別の態様では、Xはトリフレートである。また別の態様では、Xはペンタフルオロエタンスルホネートである。また別の態様では、Xはヘプタフルオロプロパンスルホネートである。また別の態様では、Xはノナフルオロエタンスルホネートである。また別の態様では、Xはハライドである。また別の態様では、XはCl、Br、およびIからなる群より選択される。また別の態様では、XはClである。また別の態様では、XはBrである。また別の態様では、XはIである。また別の態様では、Xはメシレートである。また別の態様では、Xはテトラフルオロボレートである。また別の態様では、Xはヘキサフルオロホスフェートである。また別の態様では、Xはヘキサフルオロアンチモネートである。また別の態様では、Xはテトラフェニルボレートである。また別の態様では、Xはアセテートである。また別の態様では、Xはトリフルオロアセテートである。また別の態様では、Xはアセチルアセトネート(acac)である。また別の態様では、Xはトリフルイミドである。また別の態様では、Xはトシレートである。
【００８３】
特定の態様では、Lは
2020515398.tif 000010
として表される二座配位子であり、ここで各L*は独立して単座配位子基(配位中心としても公知である)として選択される。別の態様では、Lは二座配位子であり、XはMに配位する。また別の態様では、Lは二座配位子であり、XはMに配位しない(すなわち、XとMの間に配位は存在しない)。また別の態様では、二座配位子Lにおける2つの配位中心は式(IIA)：
2020515398.tif 000011
に示されるようにMと配位する。
【００８４】
特定の態様では、MはPd、NiおよびPtからなる群より選択される。別の態様では、MはPdである。また別の態様では、MはNiである。また別の態様では、MはPtである。
【００８５】
特定の態様では、Lはホスフィン、N-ヘテロ環式カルベン、N含有配位子、O含有配位子、およびS含有配位子からなる群より選択される少なくとも1つである。特定の態様では、Lはホスフィンである。特定の態様では、LはN-ヘテロ環式カルビンである。特定の態様では、LはN含有配位子である。特定の態様では、LはO含有配位子である。特定の態様では、LはS含有配位子である。
【００８６】
特定の態様では、Lは単座ホスフィン配位子ではない。別の態様では、Lは式PR*3の単座ホスフィン配位子ではなく、ここでR*は各出現時には独立してフェニル、シクロヘキシル、メチルおよびメトキシからなる群より選択される。また別の態様では、LはPtBu3である。
【００８７】
特定の態様では、Lは置換されてもよい1,3-ジヒドロ-2H-イミダゾール-2-イリデン、置換されてもよい1,3,4,5-テトラヒドロ-2H-イミダゾール-2-イリデン、および置換されてもよい1,2,4-トリアゾール-5-イリデンからなる群より選択される。別の態様では、Lは置換されてもよい1,3-ジヒドロ-2H-イミダゾール-2-イリデンである。また別の態様では、Lは置換されてもよい1,3,4,5-テトラヒドロ-2H-イミダゾール-2-イリデンである。また別の態様では、Lは1,2,4-トリアゾール-5-イリデンである。また別の態様では、任意である置換は、独立してC1〜C6アルキル、ハロ、C1〜C6アルキル、ヒドロキシおよびC1〜C6アルコキシからなる群より選択される1〜4個の置換基を含む。また別の態様では、Lは1,3-ビス(2,6-ジイソプロピルフェニル)-1,3-ジヒドロ-2H-イミダゾール-2-イリデンである。
【００８８】
特定の態様では、LはPAd3(Ad=アダマンチル)、トリナフチルホスフィン、トリ(ペンタフルオロフェニル)ホスフィン、ジフェニル-2-ピリジルホスフィン、トリ(2-フリル)ホスフィン、トリ(n-オクチル)ホスフィン、ジメチルフェニルホスフィン、AmPhos(ジ-t-ブチルホスフィノ-4-ジメチルアミノベンゼン)、DavePhos(2-ジシクロヘキシルホスフィノ-2'-(N,N-ジメチルアミノ)ビフェニル)、tBuDavePhos(2-ジ-tert-ブチルホスフィノ-2'-(N,N-ジメチルアミノ)ビフェニル)、QPhos(1,2,3,4,5-ペンタフェニル-1'-(ジ-tert-ブチルホスフィノ)フェロセン)、RuPhos(2-ジシクロヘキシルホスフィノ-2',6'-ジイソプロポキシビフェニル)、SPhos(2-ジシクロヘキシルホスフィノ-2',6'-ジメトキシビフェニル)、XPhos(2-ジシクロヘキシルホスフィノ-2',4',6'-トリイソプロピルビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、BrettPhos(2-(ジシクロヘキシルホスフィノ)-3,6-ジメトキシ-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン)、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)およびBippyPhos(5-(ジ-tert-ブチルホスフィノ)-1',3',5'-トリフェニル-1'H-[1,4']ビピラゾール)からなる群より選択される少なくとも1つである。
2020515398.tif 000012
【００８９】
特定の態様では、Lは二座ホスフィン配位子である。別の態様では、Lは1,1'-ビス(ジフェニルホスフィノ)フェロセン(DPPF)、4,5-ビス(ジフェニルホスフィノ)-9,9-ジメチルキサンテン(XantPhos)、4,6-ビス(ジフェニルホスファニル)-10H-フェノキサジン(NiXantPhos)、1,2-ビス(ジフェニルホスフィノ)エタン(dppe)、1,1-ビス(ジフェニルホスフィノ)メタン(dppm)、1,3-ビス(ジフェニルホスフィノ)プロパン(dppp)、1,4-ビス(ジフェニルホスフィノ)ブタン(dppb)、2,2'-ビス(ジフェニルホスフィノ)-1,1'-ビナフチル(BINAP)、ビス[(2-ジフェニルホスフィノ)フェニル]エーテル(DPEPhos)、1,2-ビス(ジクロロホスフィノ)エタン、および1,2-ビス(ジシクロヘキシルホスフィノ)エタン(dcpe)からなる群より選択される。
【００９０】
特定の態様では、Lは、式(II)および/または(IIA)の錯体を形成できるが、式：
2020515398.tif 000013
の錯体を形成することはできない配位子である。
【００９１】
特定の態様では、LはtBuDavePhos(2-ジ-tert-ブチルホスフィノ-2'-(N,N-ジメチルアミノ)ビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン)、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)およびBippyPhos(5-(ジ-tert-ブチルホスフィノ)-1',3',5'-トリフェニル-1'H-[1,4']ビピラゾール)からなる群より選択される配位子である。
【００９２】
特定の態様では、LはNR'R''R'''であり、ここでR''、R''、R'''は独立してアルキル、置換アルキル、シクロアルキル、置換シクロアルキル、アルケニル、置換アルケニル、アルキニル、置換アルキニル、フェニル、置換フェニル、フェニルアルキル、置換フェニルアルキル、アリール、置換アリール、アリールアルキル、置換アリールアルキル、ヘテロアリールアルキル、置換ヘテロアリールアルキル、ヘテロアリールおよび置換ヘテロアリールからなる群より選択され、ここで2または3個のR置換基は任意で共有結合してNと環構造を形成してもよい。
【００９３】
特定の態様では、LはR'OR''であり、ここでR''およびR''は独立してアルキル、置換アルキル、シクロアルキル、置換シクロアルキル、アルケニル、置換アルケニル、アルキニル、置換アルキニル、フェニル、置換フェニル、フェニルアルキル、置換フェニルアルキル、アリール、置換アリール、アリールアルキル、置換アリールアルキル、ヘテロアリールアルキル、置換ヘテロアリールアルキル、ヘテロアリールおよび置換ヘテロアリールからなる群より選択され、ここでR'およびR''は任意で共有結合してOと環構造を形成してもよい。別の態様では、Lは置換されてもよいフランまたはテトラヒドロフランである。また別の態様では、Lはエステル、ケトンまたはアルデヒドである。
【００９４】
特定の態様では、LはR'SR''であり、ここでR''およびR''は独立してアルキル、置換アルキル、シクロアルキル、置換シクロアルキル、アルケニル、置換アルケニル、アルキニル、置換アルキニル、フェニル、置換フェニル、フェニルアルキル、置換フェニルアルキル、アリール、置換アリール、アリールアルキル、置換アリールアルキル、ヘテロアリールアルキル、置換ヘテロアリールアルキル、ヘテロアリールおよび置換ヘテロアリールからなる群より選択され、ここでR'およびR''は任意で共有結合してSと環構造を形成してもよい。別の態様では、Lは置換されてもよいチオフェンまたはテトラヒドロチオフェンである。また別の態様では、Lはチオエステル、チオケトンまたはチオアルデヒドである。
【００９５】
特定の態様では、5員環のそれぞれは1、2および3位が非置換であり、CH基のみを有する。
【００９６】
特定の態様では、Zは各出現時には独立してCHおよびCRからなる群より選択されるため、式(II)のプレ触媒は置換インデニル錯体である。
【００９７】
特定の態様では、Rは置換されてもよいC1〜C6アルキルである。別の態様では、Rは置換されてもよいC3〜C8シクロアルキルである。また別の態様では、Rは置換されてもよいC2〜C6アルケニルである。また別の態様では、Rは置換されてもよいC2〜C6アルキニルである。また別の態様では、Rは置換されてもよいフェニルである。また別の態様では、Rは置換されてもよいフェニルアルキルである。また別の態様では、Rは置換されてもよいアリール(例えばナフチルなど)である。また別の態様では、Rは置換されてもよいアリールアルキルである。また別の態様では、Rは置換されてもよいヘテロアリールアルキルである。また別の態様では、Rは置換されてもよいヘテロアリールである。
【００９８】
特定の態様では、アルキル、アルケニル、アルキニル、またはシクロアルキルは各出現時には独立してC1〜C6アルキル、ハロ、-OR''、フェニル(よって、非限定例では、置換されてもよいフェニル-(C1〜C3アルキル)、例えば、非限定的にはベンジルまたは置換ベンジルが得られる)および-N(R'')(R'')からなる群より選択される少なくとも1つの置換基で置換されてもよく、ここでR''は各出現時には独立してH、C1〜C6アルキルまたはC3〜C8シクロアルキルである。
【００９９】
特定の態様では、フェニル、アリール、フェニルアルキル、アリールアルキル、ヘテロアリール、およびヘテロアリールアルキルは各出現時には独立してC1〜C6アルキル、C1〜C6ハロアルキル、C1〜C6ハロアルコキシ、ハロ、-CN、-OR''、-N(R'')(R'')、-NO2、-S(=O)2N(R'')(R'')、アシル、およびC1〜C6アルコキシカルボニルからなる群より選択される少なくとも1つの置換基で置換されてもよく、ここでR''は各出現時には独立してH、C1〜C6アルキルまたはC3〜C8シクロアルキルである。
【０１００】
特定の態様では、フェニル、アリール、フェニルアルキル、アリールアルキル、ヘテロアリール、およびヘテロアリールアルキルは各出現時には独立してC1〜C6アルキル、C1〜C6ハロアルキル、C1〜C6ハロアルコキシ、ハロ、-CN、-OR''、-N(R'')(R'')、およびC1〜C6アルコキシカルボニルからなる群より選択される少なくとも1つの置換基で置換されてもよく、ここでR''は各出現時には独立してH、C1〜C6アルキルまたはC3〜C8シクロアルキルである。
【０１０１】
発明のプレ触媒は1つまたは複数の立体中心を有してもよく、各立体中心は独立して(R)または(S)配置のいずれかで存在してもよい。特定の態様では、本明細書において記載のプレ触媒は光学活性またはラセミ形態で存在する。本明細書において記載のプレ触媒は本明細書において記載の治療上有用な特性を有するラセミ、光学活性、位置異性および立体異性形態、またはそれらの組み合わせを包含する。光学活性形態の調製は、非限定例としては、再結晶化技術によるラセミ形態の分割、光学活性な出発物質からの合成、キラル合成、またはキラル固定相を用いたクロマトグラフィー分離を含む任意の好適な様式で達成される。
【０１０２】
特定の態様では、発明のプレ触媒は互変異性体として存在する。互変異性体はすべて本明細書において記載のプレ触媒の範囲内に含まれる。
【０１０３】
本明細書において記載の化合物は、同一原子番号を有するが天然に通常見られる原子質量または質量数とは異なる原子質量または質量数を有する原子によって1つまたは複数の原子が置き換えられた同位体標識化合物も含む。本明細書において記載の化合物に好適に含まれる同位体の例は2H、3H、11C、13C、14C、36Cl、18F、123I、125I、13N、15N、15O、17O、18O、32P、および35Sを非限定的に含む。特定の態様では、重水素などのより重い同位体による置換がより大きな化学的安定性をもたらす。同位体標識化合物は、任意の適切な方法によって、または適切な同位体標識試薬をこれを用いない場合に採用される非標識試薬の代わりに用いたプロセスによって調製される。
【０１０４】
特定の態様では、本明細書において記載のプレ触媒は発色団もしくは蛍光部分、生物発光標識、または化学発光標識の使用を非限定的に含む別の手段によって標識される。
【０１０５】
合成
本明細書において記載のプレ触媒、および異なる置換基を有する他の関連するプレ触媒は、本明細書において記載の技術および材料を用い、例えば、Fieser & Fieser's Reagents for Organic Synthesis, Volumes 1-17 (John Wiley and Sons, 1991)；Rodd's Chemistry of Carbon Compounds, Volumes 1-5 and Supplementals (Elsevier Science Publishers, 1989)；Organic Reactions, Volumes 1-40 (John Wiley and Sons, 1991)、Larock's Comprehensive Organic Transformations (VCH Publishers Inc., 1989)、March, Advanced Organic Chemistry 4th Ed., (Wiley 1992)；Carey & Sundberg, Advanced Organic Chemistry 4th Ed., Vols. A and B (Plenum 2000,2001)、およびGreen & Wuts, Protective Groups in Organic Synthesis 3rd Ed., (Wiley 1999)(これらはすべてこのような開示について参照により組み入れられる)に記載のように合成される。
【０１０６】
本明細書において記載のプレ触媒は販売元から入手可能な化合物から開始する任意の好適な手順を用いて合成されるか、または本明細書において記載の手順を用いて調製される。これらの手順の変更は当業者には公知である。本明細書に含まれるスキームは、発明のプレ触媒を製造するために当業者が用い得る化学および方法論を限定するのではなく説明することを意図している。
【０１０７】
本発明は式(I)および式(II)のプレ触媒を調製する新規な合成方法をさらに提供する。
【０１０８】
特定の態様では、式(I)のプレ触媒の合成は空気に感受性のある試薬を用いることなく好気的条件下で実施することができる。特定の態様では、式(II)のプレ触媒の合成は空気に感受性のある試薬を用いることなく好気的条件下で実施することができる。
【０１０９】
特定の態様では、遷移金属塩(非限定的にはハライド、トリフレート、メシレートまたはトシレートなど)をアルカリまたはアルカリ土類塩と反応させて非限定的にはNa2PdCl4などの混合塩が得られる。混合塩は有機溶媒(非限定的にはメタノール、エタノール、イソプロパノール、テトラヒドロフラン、および/または1,4-ジオキサンなど)中で非置換インデンおよび塩基(非限定的にはセシウム、カリウムもしくはナトリウムの炭酸塩または類似の重炭酸塩など)と反応させることができる。混合物は約-20℃〜約80℃の範囲の温度で撹拌することができる。特定の態様では、得られる錯体は溶液から析出し、単離され、任意で洗浄、再結晶化および/または抽出によって精製される。別の態様では、得られる錯体はクロマトグラフィー、析出、結晶化および/または抽出などの方法を用いて溶液から単離される。特定の態様では、用いる遷移金属塩がトリフレート(または任意の他のパーフルオロアルカンスルホネートもしくは部分的にフッ素化されたアルカンスルホネート)であれば、得られる錯体は場合によっては式(I)のプレ触媒であり得る。別の態様では、用いる遷移金属塩がトリフレート(または任意の他のパーフルオロアルカンスルホネートもしくは部分的にフッ素化されたアルカンスルホネート)ではない場合、得られる錯体を非限定的には銀トリフレートなどのトリフレート塩トリフレート(または任意の他のパーフルオロアルカンスルホネートもしくは部分的にフッ素化されたアルカンスルホネート)と反応させ、これによって遷移金属に結合したアニオンをトリフレートと交換させて、式(I)のプレ触媒を生成できる。
【０１１０】
特定の態様では、式(I)のプレ触媒の合成は大規模反応に適している。別の態様では、式(I)のプレ触媒の合成はグラム規模(すなわち、反応毎に1g〜約100gの生成物が単離可能)で実施することができる。
【０１１１】
特定の態様では、式(II)のプレ触媒の合成は、非限定的にはアセトニトリル、ジエチルエーテル、テトラヒドロフラン、および/または1,4-ジオキサンなどの有機溶媒中で式(I)のプレ触媒を適切な配位子Lと反応させることを含む。
【０１１２】
特定の態様では、Lは単座ホスフィン配位子ではない。別の態様では、LはR*が各出現時には独立してフェニル、シクロヘキシル、メチルおよびメトキシからなる群より選択される式PR*3の単座ホスフィン配位子ではない。
【０１１３】
特定の態様では、Lは置換されてもよい1,3-ジヒドロ-2H-イミダゾール-2-イリデン、置換されてもよい1,3,4,5-テトラヒドロ-2H-イミダゾール-2-イリデン、および置換されてもよい1,2,4-トリアゾール-5-イリデンからなる群より選択される。別の態様では、Lは1,3-ビス(2,6-ジイソプロピルフェニル)-1,3-ジヒドロ-2H-イミダゾール-2-イリデンである。
【０１１４】
特定の態様では、LはAmPhos(ジ-t-ブチルホスフィノ-4-ジメチルアミノベンゼン)、DavePhos(2-ジシクロヘキシルホスフィノ-2'-(N,N-ジメチルアミノ)ビフェニル)、tBuDavePhos(2-ジ-tert-ブチルホスフィノ-2'-(N,N-ジメチルアミノ)ビフェニル)、QPhos(1,2,3,4,5-ペンタフェニル-1'-(ジ-tert-ブチルホスフィノ)フェロセン)、RuPhos(2-ジシクロヘキシルホスフィノ-2',6'-ジイソプロポキシビフェニル)、SPhos(2-ジシクロヘキシルホスフィノ-2',6'-ジメトキシビフェニル)、XPhos(2-ジシクロヘキシルホスフィノ-2',4',6'-トリイソプロピルビフェニル)、tBuXPhos(2-ジ-tert-ブチルホスフィノ-2',4',6'-トリイソプロピルビフェニル)、Me4tBuXPhos(2-ジ-tert-ブチルホスフィノ-3,4,5,6-テトラメチル-2',4',6'-トリイソプロピル-1,1'-ビフェニル)、BrettPhos(2-(ジシクロヘキシルホスフィノ)-3,6-ジメトキシ-2',4',6'-トリイソプロピル-1,1'-ビフェニル)、tBuBrettPhos(2-(ジ-tert-ブチルホスフィノ)-2',4',6'-トリイソプロピル-3,6-ジメトキシ-1,1'-ビフェニル)、AdBrettPhos(2-(ジアダマンチルホスフィノ)-2',4',6'-トリイソプロピル-3,6-ジメトキシ-1,1'-ビフェニル)、Me-DalPhos(2-(ジ-1-アダマンチルホスフィノ)フェニルピペリジン)、Mor-DalPhos(ジ(1-アダマンチル)-2-モルホリノフェニルホスフィン)、ジ(1-アダマンチル)-1-ピペリジニル-フェニルホスフィン、RockPhos(2-ジ(tert-ブチル)ホスフィノ-2',4',6'-トリイソプロピル-3-メトキシ-6-メチルビフェニル)、AlPhos(ジ-1-アダマンチル(4''-ブチル-2'',3'',5'',6''-テトラフルオロ-2',4',6'-トリイソプロピル-2-メトキシ-メタ-テルフェニル)ホスフィン)、PipDalPhos(1-(2-(ジ((3S,5S,7S)-アダマンタン-1-イル)ホスファニル)フェニル)ピペリジン)、TrippyPhos(1-[2-[ビス(tert-ブチル)ホスフィノ]フェニル]-3,5-ジフェニル-1H-ピラゾール)およびBippyPhos(5-(ジ-tert-ブチルホスフィノ)-1',3',5'-トリフェニル-1'H-[1,4']ビピラゾール)からなる群より選択される少なくとも1つである。
【０１１５】
特定の態様では、Lは単座ホスフィン配位子である。別の態様では、Lはトリフェニルホスフィン、トリ(o-トリル)ホスフィン、トリシクロヘキシルホスフィン、トリ(t-ブチル)ホスフィン、トリメチルホスフィン、トリメトキシホスフィン、PAd3(Ad=アダマンチル)、トリナフチルホスフィン、トリ(ペンタフルオロフェニル)ホスフィン、ジフェニル-2-ピリジルホスフィン、トリ(2-フリル)ホスフィン、トリ(n-オクチル)ホスフィンおよびジメチルフェニルホスフィンからなる群より選択される。
【０１１６】
特定の態様では、Lは二座ホスフィン配位子である。別の態様では、Lは1,1'-ビス(ジフェニルホスフィノ)フェロセン(DPPF)、4,5-ビス(ジフェニルホスフィノ)-9,9-ジメチルキサンテン(XantPhos)、4,6-ビス(ジフェニルホスファニル)-10H-フェノキサジン(NiXantPhos)、1,2-ビス(ジフェニルホスフィノ)エタン(dppe)、1,1-ビス(ジフェニルホスフィノ)メタン(dppm)、1,3-ビス(ジフェニルホスフィノ)プロパン(dppp)、1,4-ビス(ジフェニルホスフィノ)ブタン(dppb)、2,2'-ビス(ジフェニルホスフィノ)-1,1'-ビナフチル(BINAP)、ビス[(2-ジフェニルホスフィノ)フェニル]エーテル(DPEPhos)、1,2-ビス(ジクロロホスフィノ)エタン、および1,2-ビス(ジシクロヘキシルホスフィノ)-エタン(dcpe)からなる群より選択される。
【０１１７】
特定の態様では、LはNR'R''R'''であり、ここでR''、R''、R'''は独立してアルキル、置換アルキル、シクロアルキル、置換シクロアルキル、アルケニル、置換アルケニル、アルキニル、置換アルキニル、フェニル、置換フェニル、フェニルアルキル、置換フェニルアルキル、アリール、置換アリール、アリールアルキル、置換アリールアルキル、ヘテロアリールアルキル、置換ヘテロアリールアルキル、ヘテロアリールおよび置換ヘテロアリールからなる群より選択され、ここで2または3個のR置換基は任意で共有結合してNと環構造を形成してもよい。
【０１１８】
特定の態様では、LはR'OR''であり、ここでR''およびR''は独立してアルキル、置換アルキル、シクロアルキル、置換シクロアルキル、アルケニル、置換アルケニル、アルキニル、置換アルキニル、フェニル、置換フェニル、フェニルアルキル、置換フェニルアルキル、アリール、置換アリール、アリールアルキル、置換アリールアルキル、ヘテロアリールアルキル、置換ヘテロアリールアルキル、ヘテロアリールおよび置換ヘテロアリールからなる群より選択され、ここでR'およびR''は任意で共有結合してOと環構造を形成してもよい。別の態様では、Lは置換されてもよいフランまたはテトラヒドロフランである。また別の態様では、Lはエステル、ケトンまたはアルデヒドである。
【０１１９】
特定の態様では、LはR'SR''であり、ここでR''およびR''は独立してアルキル、置換アルキル、シクロアルキル、置換シクロアルキル、アルケニル、置換アルケニル、アルキニル、置換アルキニル、フェニル、置換フェニル、フェニルアルキル、置換フェニルアルキル、アリール、置換アリール、アリールアルキル、置換アリールアルキル、ヘテロアリールアルキル、置換ヘテロアリールアルキル、ヘテロアリールおよび置換ヘテロアリールからなる群より選択され、ここでR'およびR''は任意で共有結合してSと環構造を形成してもよい。別の態様では、Lは置換されてもよいチオフェンまたはテトラヒドロチオフェンである。また別の態様では、Lはチオエステル、チオケトンまたはチオアルデヒドである。
【０１２０】
本発明はワンポット合成において(η3-インデニル)2(μ-Cl)2Pd2から直接的に式(II)のプレ触媒を合成する方法をさらに提供する。1つの態様では、(η3-インデニル)2(μ-Cl)2Pd2は、有機溶媒(非限定的にはテトラヒドロフラン、メタノール、エタノール、イソプロパノール、アセトニトリル、および/または1,4-ジオキサンなど)中で、非限定的には銀トリフレートなどの金属トリフレート(または部分的にフッ素化されたアルカンスルホネートまたは任意の他のパーフルオロアルカンスルホネート)および配位子Lと同時に反応させる。混合物は約-20℃〜約80℃の範囲の温度で撹拌される。特定の態様では、反応は金属塩化物塩のろ過によって精製される。特定の態様では、得られる錯体は溶液から析出し、単離され、任意で洗浄、再結晶化および/または抽出によって精製される。別の態様では、得られる錯体は、非限定的にはクロマトグラフィー、析出、結晶化および/または抽出などの方法を用いて溶液から単離される。
【０１２１】
方法
式(I)または(II)のプレ触媒は炭素-炭素、炭素-酸素、炭素-窒素、および/または炭素-硫黄結合の形成を促進するためにカップリング反応において用いることができる。特定の態様では、式(I)または(II)のプレ触媒は図1に示す反応を促進するために用いることができる。
【０１２２】
特定の態様では、式(I)または(II)のプレ触媒は芳香族またはヘテロ芳香族ハライド、トシレート、トリフレート、メシレート、スルファメート、カルバメート、カーボネート、エステルまたはアミドとの芳香族またはヘテロ芳香族ボロン酸またはエステルのカップリング(鈴木・宮浦反応)を促進するために用いられる。
【０１２３】
特定の態様では、式(I)または(II)のプレ触媒は芳香族、ヘテロ芳香族またはビニルハライド、トシレート、トリフレート、メシレート、スルファメートまたはカルバメートとの芳香族またはヘテロ芳香族アミンのカップリング(バックワルド・ハートウィグ反応)を促進するために用いられる。
【０１２４】
特定の態様では、式(I)または(II)のプレ触媒は芳香族、ヘテロ芳香族またはビニルハライド、トシレート、トリフレート、メシレート、スルファメートまたはカルバメートとの芳香族またはヘテロ芳香族ハロゲン化亜鉛のカップリング(根岸反応)を促進するために用いられる。
【０１２５】
特定の態様では、式(I)または(II)のプレ触媒は芳香族、ヘテロ芳香族またはビニルハライド、トシレート、トリフレート、メシレート、スルファメートまたはカルバメートとの芳香族またはヘテロ芳香族ハロゲン化マグネシウムのカップリング(熊田反応)を促進するために用いられる。
【０１２６】
特定の態様では、式(I)または(II)のプレ触媒は芳香族、ヘテロ芳香族またはビニルハライド、トシレート、トリフレート、メシレート、スルファメートまたはカルバメートとの芳香族またはヘテロ芳香族ハロゲン化スズのカップリング(スティル反応)を促進するために用いられる。
【０１２７】
特定の態様では、式(I)または(II)のプレ触媒は芳香族、ヘテロ芳香族またはビニルハライド、トシレート、トリフレート、メシレート、スルファメートまたはカルバメートとのケトン、アルデヒド、イミン、アミドまたはエステルのα-アリール化(α-アリール化反応)を促進するために用いられる。
【０１２８】
特定の態様では、式(I)または(II)のプレ触媒は芳香族、ヘテロ芳香族またはビニルハライド、トシレート、トリフレート、メシレート、スルファメートまたはカルバメートとのアルコールまたはチオールの反応(C-SまたはC-O結合形成)を促進するために用いられる。
【０１２９】
特定の態様では、式(I)または(II)のプレ触媒は芳香族、ヘテロ芳香族またはビニルハライド、トシレート、トリフレートまたはメシレートとの芳香族またはヘテロ芳香族シラノール、シロキサンまたはシランの反応(檜山カップリング)を促進するために用いられる。
【０１３０】
特定の態様では、式(I)または(II)のプレ触媒は第1級または第2級アルコールの嫌気的酸化を促進するために用いられる。
【０１３１】
当業者であれば、本明細書において記載の具体的な手順、態様、クレーム、および実施例に対する多くの均等物を認識しているか、またはルーチンにすぎない実験を用いて確認できるであろう。そのような均等物は、本発明の範囲内であり本明細書に添付するクレームに包含されるとみなされる。例えば、反応時間、反応の規模/体積、ならびに実験試薬、例えば、溶媒、触媒、圧力、周囲条件、例を挙げると窒素雰囲気、および還元/酸化剤を非限定的に含む反応条件を当技術分野で認識されている代替物と変更することおよびルーチンにすぎない実験を用いることは本願の範囲内であると理解されるべきである。
【０１３２】
本明細書において何処で値および範囲が提供されているかに関わらず、範囲の形式での記載は単に利便性および簡潔性のためであると理解すべきであり、発明の範囲に対する不変の限定として解釈すべきではない。したがって、これらの値および範囲に包含されるすべての値および範囲は本発明の範囲内に包含されることが意味される。また、これらの範囲内に入るすべての値や、値の範囲の上限または下限も本願によって企図される。範囲の記載は、可能なより狭い範囲や、その範囲内の個々の数値、適切な場合は範囲内の数値の部分整数をすべて具体的に開示していると解釈すべきである。例えば、1〜6などの範囲の記載は1〜3、1〜4、1〜5、2〜4、2〜6、3〜6などのより狭い範囲や、その範囲内の個々の数字、例えば、1、2、2.7、3、4、5、5.3、および6を具体的に開示していると解釈すべきである。これは範囲の広さにかかわらず適用される。
【０１３３】
以下の実施例は本発明の局面をさらに説明する。しかしながら、それらは本明細書において記載の本発明の教示または開示を何ら限定するものではない。
【実施例】
【０１３４】
以下の実施例を参照して本発明を説明する。これらの実施例は例示のみを目的として提供され、本発明はこれらの実施例に限定されず、むしろ本明細書において提供される教示の結果として明らかになるすべての変形を包含する。
【０１３５】
材料および方法：
材料：
特に明記しない限り、すべての出発材料は販売者から入手し、精製せずに用いた。
【０１３６】
ペンタン、THF、ジエチルエーテルおよびトルエンは活性アルミナのカラムを通過させて乾燥させ、続いて二窒素下で保存した。注記のない場合は、すべての市販の化学物質は受領した状態のまま用いた。MeOH(J.T. Baker)、iPrOH(Macron Fine Chemicals)、および200プルーフのEtOH(Decon Laboratories Inc.)は乾燥させなかったが、二窒素を1時間散布して脱気し、二窒素下で保存した。酢酸エチル(Fisher Scientific)およびヘキサン(Macron Fine Chemicals)は受領した状態のまま用いた。カリウムtert-ブトキシド(99.99％、昇華)、ナフタレン(99％)、4-クロロトルエン(98％)および4-クロロアニソール(99％)はAldrichから購入した。2,6-ジメチルボロン酸(98％)、1-ナフタレンボロン酸(97％)、1-クロロナフタレン(90+％)および2-メトキシボロン酸(97％)はFisher Scientificから購入した。炭酸カリウムはMallinckrodtから購入した。1,3-ジビニルテトラメチルジシロキサンおよび4-メチルビフェニルはTCIから購入した。フェニルボロン酸(98％)および2,4,6-トリメチルベンゼンボロン酸(97％)はAlfa Aesarから購入した。炭酸カリウムは乳鉢および乳棒で粉砕し、使用前に130℃のオーブンで保存した。4-クロロトルエン、2-クロロ-m-キシレン、1-クロロナフタレン、4-クロロアニソールおよび1,3-ジビニルテトラメチルジシロキサンは使用前に凍結脱気サイクル(freeze-pump-thaw cycle)を3回行って脱気した。
【０１３７】
重水素化溶媒はCambridge Isotope Laboratoriesから入手した。C6D6はナトリウム金属で乾燥させ窒素下で保存した一方で、d4-MeOH、d8-iPrOH、およびd8-THFは乾燥させなかったが使用前に凍結脱気サイクルを3回行って脱気した。
【０１３８】
文献の手順を用いて以下の化合物を調製した：IPr(Arduengo, et al., 1999, Tetrahedron 55:14523；Tang, et al., 2011, J. Am. Chem. Soc. 133:11482)。
【０１３９】
方法：
実験は、特に明記しない限り、二窒素雰囲気下でM-Braunドライボックスにおいてまたは標準的なシュレンク技術を用いて実施した。標準的なグローブボックスの条件下では、ペンタン、ベンゼン、トルエンの使用の合間にはパージを実施しなかったので、これらの溶媒のいずれかを用いた場合、これらのすべての溶媒の痕跡が雰囲気中に存在し、溶媒瓶内に混入していることがわかった。水分および空気に感受性のある液体はステンレス製のカニューレによってシュレンク管またはドライボックスに移した。
【０１４０】
フラッシュクロマトグラフィーはシリカゲル60(230〜400メッシュ、Fisher Scientific)で実施した。
【０１４１】
NMRスペクトルは、特に明記しない限り、プローブが周囲温度の、Agilent-400、-500および-600分光計ならびにVarian-300またはVarian-500分光計で記録した。温度可変型NMRについては、エチレングリコール(99％、Aldrich)におけるOH共鳴とCH2共鳴の間の距離を測定することによって試料温度を較正した。化学シフトは1Hおよび13C{1H}NMRスペクトルの残留内部プロトン溶媒について報告される。
【０１４２】
ガスクロマトグラフィー分析(GC)は水素炎イオン化検出器およびShimadzu SHRXI-5MSカラム(30m、内径250μm、フィルム：0.25μm)を備えたShimadzu GC-2010 Plus装置で実施した。GC分析には以下の条件を利用した：流量1.23mL/分の一定流量、カラム温度50℃(5分間保持)、300℃(5分間保持)まで20℃/分の上昇、合計時間22.5分。
【０１４３】
高分解能質量分析は超伝導(7T)磁石を備えたイオンサイクロトロン共鳴(ICR)質量分析計を用いて実施した。
【０１４４】
X線結晶解析：
X線回折実験は、-50℃にてグラファイト単色化Mo Kα線(λ=0.71073Å)を用いたRigaku Mercury 275R CCD(SCXミニ)回折計または-180℃にてCuKα線(λ=1.54178Å)を用いたSaturn994+ CCD検出器と組み合わせたRigaku MicroMax-007HF回折計のいずれかで実施した。結晶は浸漬油とともにMiTeGenポリイミドループに載せた。データフレームはRigaku CrystalClearを用いて処理し、ローレンツ偏光効果に関して補正した。Olex2を用いて、直接法を用いたXS構造解析プログラムで構造を解析し、最小二乗最小化を用いたXL精密化パッケージで構造を精密化した。非水素原子は異方的に精密化した。水素原子はライディングモデルを用いて精密化した。
【０１４５】
実施例1：合成および特性評価
錯体の合成手順：
(η3-インデニル)2(μ-Cl)2Pd2(3a)：
PdCl2(1.00g、5.64mmol)およびNaCl(0.658g、11.3mmol)を250mLの丸底フラスコに加えた。MeOH(70mL)を加え、反応混合物を50℃で30分間加熱すると、この時点でこれは均一になった。溶液を室温まで冷却させた。インデン(0.650g、5.64mmol)に続いてNa2CO3(0.888g、8.46mmol)を加え、反応物を室温で2時間撹拌した。反応混合物をろ過し、得られた褐色の固形物を水およびジエチルエーテルで洗浄した。生成物を真空下で乾燥させて3aを褐色の固形物として得た。収率：1.22g、84％。1H NMRデータは文献(Sui-Seng, et al., 2004, Organomet. 23:1236)に公開のものと一致した。
【０１４６】
(η3-インデニル)2(μ-OTf)2Pd2(3a-OTf)：
[(η3-インデニル)Pd(μ-Cl)]2(0.10g、0.195mmol)およびAgOTf(0.10g、0.39mmol)を100mLの丸底フラスコに加えた。アセトニトリル(10mL)を加え、反応物を30分間室温で撹拌した。この時点で、反応混合物をセライトに通してろ過しAgClの析出物を除去して暗赤色の均一な溶液を得た。溶媒を減圧下で除去し褐色の油状物をペンタン中でタイトレートして褐色の固形物を得た。収率：0.127g、88％。
2020515398.tif 000014
【０１４７】
2020515398.tif 000015
【０１４８】
(η3-インデニル)Pd(XPhos)(OTf)
[(η3-インデニル)Pd(μ-OTf)]2(0.10g、0.135mmol)およびXPhos(0.128g、0.270mmol)を小型(flea)撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.185g、81％。
2020515398.tif 000016
【０１４９】
(η3-インデニル)Pd(tBuXPhos)(OTf)
[(η3-インデニル)Pd(μ-OTf)]2(0.10g、0.135mmol)およびtBuXPhos(0.115g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.197g、92％。
2020515398.tif 000017
【０１５０】
(η3-インデニル)Pd(BrettPhos)(OTf)
[(η3-インデニル)Pd(μ-OTf)]2(0.10g、0.135mmol)およびBrettPhos(0.145g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.220g、90％。
2020515398.tif 000018
【０１５１】
(η3-インデニル)Pd(tBuBrettPhos)(OTf)
[(η3-インデニル)Pd(μ-OTf)]2(0.10g、0.135mmol)およびtBuBrettPhos(0.131g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.189g、82％。
2020515398.tif 000019
【０１５２】
(η3-インデニル)Pd(AdBrettPhos)(OTf)
[(η3-インデニル)Pd(μ-OTf)]2(0.10g、0.135mmol)およびAdBrettPhos(0.173g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.232g、85％。
2020515398.tif 000020
【０１５３】
図5は(η3-インデニル)Pd(AdBrettPhos)(OTf)プレ触媒のORTEPを報告している。明確にするために水素を除いている。
【０１５４】
(η3-インデニル)Pd(Me4tBuPhos)(OTf)
[(η3-インデニル)Pd(μ-OTf)]2(0.10g、0.135mmol)およびMe4tBuXPhos(0.130g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.207g、90％。
2020515398.tif 000021
【０１５５】
(η3-インデニル)Pd(RockPhos)(OTf)
[(η3-インデニル)Pd(μ-OTf)]2(0.10g、0.135mmol)およびRockPhos(0.127g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.181g、80％。
2020515398.tif 000022
【０１５６】
(η3-インデニル)Pd(AlPhos)(OTf)
[(η3-インデニル)Pd(μ-OTf)]2(0.10g、0.135mmol)およびAlPhos(0.220g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.259g、81％。
2020515398.tif 000023
【０１５７】
(η3-インデニル)Pd(MorDalPhos)(OTf)
[(η3-インデニル)Pd(μ-OTf)]2(0.10g、0.135mmol)およびMorDalPhos(0.125g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.203g、90％。
2020515398.tif 000024
【０１５８】
(η3-インデニル)Pd(PipDalPhos)(OTf)
[(η3-インデニル)Pd(μ-OTf)]2(0.10g、0.135mmol)およびPipDalPhos(0.125g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.213g、95％。
2020515398.tif 000025
【０１５９】
(η3-インデニル)Pd(TrippyPhos)(OTf)
[(η3-インデニル)Pd(μ-OTf)]2(0.10g、0.135mmol)およびTrippyPhos (.119g、0.270mmol)を小型撹拌棒を備えた20mLのバイアルに加えた。THF(10mL)をバイアルに加え、赤色の均一な混合物が観察された。混合物を1時間室温で撹拌し、この時点で溶媒を減圧下で除去した。赤色の油状物をペンタンでタイトレートして暗赤色の固形物を得た。収率：0.175g、80％。
2020515398.tif 000026
【０１６０】
代替例  トリフレートプレ触媒の「ワンポット」合成
[(η3-インデニル)Pd(μ-Cl)]2(0.10g、0.195mmol)、AgOTf(0.10g、0.39mmol)およびXPhos(0.184g、0.39mmol)を100mLのシュレンクフラスコに加えた。THF(10mL)を加え、反応物を30分間室温で撹拌した。この時点で、反応混合物をセライトに通してろ過しAgClの析出物を除去して赤色の均一な溶液を得た。溶媒を減圧下で除去し、赤色の油状物をペンタン中でタイトレートして、褐色の固形物を得た。収率：0.280g、85％。
2020515398.tif 000027
【０１６１】
実施例2：プレ触媒の活性化およびL-Pd(0)中間体の単離
2020515398.tif 000028
小型撹拌棒を備えた1ドラムバイアルに(η3-インデニル)Pd(L)(OTf)(0.0088mmol)、K2CO3(12.2mg、0.088mmol)および臭化4-(n-ブチル)フェニル(15.5μL、0.088mmol)をトルエン-d8(0.5mL)およびメタノール-d4(0.5mL)とともに加えた。この混合物を15分間室温で撹拌し、この時点でこれをろ過し、溶媒を減圧下で除去した。得られた固形物をトルエン-d8に溶解し、31Pスペクトルを取得した。いずれの場合も、唯一観察されたリン含有種は酸化的付加物のものである(L)Pd(4-n-ブチルフェニル)(Br)であり、これは文献(Lee, et al., 2014, Inorg. Chim. Acta. 422:188-192)に示された分光値と一致した。
【０１６２】
実施例3：鈴木・宮浦反応における(η3-インデニル)Pd(XPhos)(OTf)の触媒活性
2020515398.tif 000029
二窒素を充填したグローブボックスにおいて、2-クロロ-4,6-ジメトキシピリミジン(175μL、1.0mmol)、ベンゾフラン-2-ボロン酸(243mg、1.5mmol)、K2CO3(276mg、2.0mmol)および(η3-インデニル)Pd(XPhos)(OTf)(8.4mg、0.01mmol)を磁気撹拌棒を備えた4ドラムバイアルに加えた。メタノール(4mL)およびTHF(2mL)をバイアルに加え、これを次いで密封し、グローブボックスの外で1時間40℃で撹拌した。この時点で、バイアルを大気に開放し、ジエチルエーテル(10mL)およびH2O(10mL)を反応混合物に加えた。水相をジエチルエーテル(3×10mL)で抽出した。合わせた有機相をMgSO4で乾燥させ、ろ過した。次いで上清をシリカゲルパッドに通し、続いて減圧下で溶媒を除去して有機生成物を得た。収率：249mg、97％。
【０１６３】
明細書において引用したあらゆる特許、特許出願、および刊行物の開示はそれら全体において参照により本明細書に組み入れられる。特定の態様を参照して本発明を開示したが、発明の真の精神および範囲から逸脱することなく本発明の他の態様および変形例が他の当業者によって為され得ることは明らかである。添付のクレームはすべてのそのような態様および均等な変形例を含むと解釈されることを意図している。
【図１】
2020515398.tif 000040
【図２】
2020515398.tif 000041
【図３】
2020515398.tif 000042
【図４】
2020515398.tif 000043
【図５】
2020515398.tif 000044
【図６】
2020515398.tif 000045
【国際調査報告】
2020515398.tif 000046
2020515398.tif 000047